(57)【要約】      （修正有）【課題】眼の領域内に位置決めするように構成された安定化ハプティックと、一定体積の光学流体を含む密閉チャンバを有する及びレンズ体とを含む、眼を治療するための遠近調節型の眼内レンズのデバイスを提供する。【解決手段】レンズ体３０５は、眼の光軸を囲む領域で外方に撓むように構成された形状変化薄膜２４５と、第１の形状変化薄膜に対する変位を受けるように構成された形状変形薄膜と、静的な要素とを含む。形状変化薄膜の内面、形状変形薄膜の内面及び静的な要素の内面は、共同で密閉チャンバを形成する。眼内レンズのデバイスは、レンズ体の形状変形薄膜の外面と接触するように構成された第１端と、眼の毛様体構造と係合するように構成された第２端とを有する力変換アーム３１５を含む。力変換アームは、毛様体構造の動きでレンズ体に対して動くように構成される。【選択図】図２６Ｄ
2020022762.tif 000002
【特許請求の範囲】
【請求項１】
眼の領域内に位置決めされるように構成された安定化ハプティックと、
一定体積の光学流体を含む密閉チャンバを有するレンズ体であって、該レンズ体は、前記眼の光軸を囲む領域において外方に撓むように構成された形状変化薄膜と、第１の形状変化薄膜に対して変位を受けるように構成された形状変形薄膜と、静的な要素とを備え、前記形状変化薄膜の内面、前記形状変形薄膜の内面及び前記静的な要素の内面が、共同で前記密閉チャンバを形成するレンズ体と、
前記レンズ体の前記形状変形薄膜の外面と接触するように構成された第１端と、前記眼の毛様体構造と係合するように構成された第２端とを有する力変換アームとを備え、
前記力変換アームは、前記毛様体構造の動きで前記レンズ体に対して動くように構成されている、眼を治療するための遠近調節型の眼内レンズのデバイス。
【請求項２】
前記形状変形薄膜は、遠近調節の間に前記形状変化薄膜に対して前記眼の前記光軸に向けての内方の変位を受けるように構成されている、請求項１に記載のデバイス。
【請求項３】
前記力変換アームの内方への動きは、前記密閉チャンバの変形を生じさせる前記眼の前記光軸に向けての前記形状変形薄膜の少なくとも１つ以上の領域の内方への動きを生じさせる、請求項１又は請求項２に記載のデバイス。
【請求項４】
前記形状変形薄膜の内方への動きにより、前記密閉チャンバでの前記光学流体が前記形状変化薄膜の前記内面を押圧して、前記形状変化薄膜の外方への湾曲が生じる、請求項１から請求項３のいずれか１項に記載のデバイス。
【請求項５】
前記密閉チャンバ内にある内方の支持体をさらに備える、請求項１から請求項４のいずれか１項に記載のデバイス。
【請求項６】
前記内方の支持体は、前記力変換アームの動きの間に歪みから前記眼内レンズのデバイスの光学部品を機械的に分離する、請求項５に記載のデバイス。
【請求項７】
前記内方の支持体は、前記密閉チャンバ内で互いに離間した複数の内方の支持体を備える、請求項５又は請求項６に記載のデバイス。
【請求項８】
前記内方の支持体は、前記形状変形薄膜の内方への動きの間に接触することを回避するために、先細りの形状を備える、請求項５から請求項７のいずれか１項に記載のデバイス。
【請求項９】
前記安定化ハプティックが、前記レンズ体に接合される、請求項１から請求項８のいずれか１項に記載のデバイス。
【請求項１０】
前記安定化ハプティックが、前記レンズ体の一部として成型される、請求項１から請求項８のいずれか１項に記載のデバイス。
【請求項１１】
外方の支持体をさらに備える、請求項１から請求項１０のいずれか１項に記載のデバイス。
【請求項１２】
前記内方の支持体が、前記形状変化薄膜の周辺領域に結合される、請求項５から請求項１１のいずれか１項に記載のデバイス。
【請求項１３】
前記内方の支持体が、前記密閉チャンバを変形可能領域及び中央部に分割する前記密閉チャンバ内にパーティションを形成する、請求項５から請求項１２のいずれか１項に記載のデバイス。
【請求項１４】
前記変形可能領域が、光学ゾーンの外側に位置する、請求項１３に記載のデバイス。
【請求項１５】
前記変形可能領域が、光学ゾーンの内側に位置する、請求項１３に記載のデバイス。
【請求項１６】
前記力変換アームの内方への動きが、前記形状変形薄膜の内方への動き及び前記変形可能領域の変形を生じさせる、請求項１３から請求項１５のいずれか１項に記載のデバイス。
【請求項１７】
前記形状変形薄膜の内方への動きが、前記密閉チャンバを圧縮する、請求項１から請求項１６のいずれか１項に記載のデバイス。
【請求項１８】
前記密閉チャンバでの光学流体が非圧縮性であり、前記形状変化薄膜の内面を押圧し、前記形状変化薄膜の外方への湾曲を生じさせる、請求項１から請求項１７のいずれか１項に記載のデバイス。
【請求項１９】
前記内方の支持体が、前記静的な要素の領域にさらに結合される、請求項１２から請求項１８のいずれか１項に記載のデバイス。
【請求項２０】
前記内方の支持体が、前記密閉チャンバの前記変形可能領域及び前記中央部の間での流体連通を提供する、前記内方の支持体を貫通して延在するチャネルを備える、請求項１３から請求項１９のいずれか１項に記載のデバイス。
【請求項２１】
外方の支持体をさらに備える、請求項１から請求項２０のいずれか１項に記載のデバイス。
【請求項２２】
前記外方の支持体が、剛体であり、前記レンズ体に対する前記力変換アームの動きによって生じた歪みを防ぐように構成される、請求項２１に記載のデバイス。
【請求項２３】
前記安定化ハプティックが、前記外方の支持体の外表面に接合される、請求項２１又は請求項２２に記載のデバイス。
【請求項２４】
前記安定化ハプティックが、前記外方の支持体の一部として成型される、請求項２１又は請求項２２に記載のデバイス。
【請求項２５】
前記力変換アームの前記第１端は、前記第１端が前記形状変形薄膜に対して位置決めされるように、前記外方の支持体の周壁でのチャネルを通して延在する、請求項２１から請求項２４のいずれか１項に記載のデバイス。
【請求項２６】
前記外方の支持体が中央の環状領域と対向する側面領域とを備え、前記レンズ体が中央部と対向する変形可能部とを備え、前記中央部が前記外方の支持体の前記中央の環状領域と連携して、前記レンズ体の前記変形可能部が前記外方の支持体の前記対向する側面領域の内に延在する、請求項２１から請求項２５のいずれか１項に記載のデバイス。
【請求項２７】
前記形状変形薄膜の外面が、前記中央の環状領域を通して露出される、請求項２６に記載のデバイス。
【請求項２８】
前記静的な要素の外面が、前記中央の環状領域を通して露出される、請求項２６又は請求項２７に記載のデバイス。
【請求項２９】
前記力変換アームの第１が、前記外方の支持体の第１の側壁の第１の開口を貫通して第１のチャネルの中に延在し、前記力変換アームの第２が、前記外方の支持体の第２の側壁の第２の開口を貫通して第２のチャネルの中に延在し、前記第１のチャネル及び前記第２のチャネルが前記中央の環状領域の反対側にある、請求項２６から請求項２８のいずれか１項に記載のデバイス。
【請求項３０】
前記力変換アームが、前記第１のチャネル及び前記第２のチャネル内で前後に動くように構成される、請求項２９に記載のデバイス。
【請求項３１】
前記形状変形薄膜が、前記形状変化薄膜に結合された第１表面と、前記静的な要素に結合された第２表面と、前記第１表面及び前記第２表面の間に延在する側壁とを有する、請求項２６から請求項３０のいずれか１項に記載のデバイス。
【請求項３２】
前記レンズ体が、前記外方の支持体に対して固定して位置決めされるように、前記形状変形薄膜の前記側壁が、前記外方の支持体の前記中央部の内面と連携しているとともに、前記外方の支持体の前記中央部の内面に接合されている、請求項３１に記載のデバイス。
【請求項３３】
前記中央部が前記光軸を囲み、前記変形可能部が前記中央部の外側に位置する、請求項２６から請求項３２のいずれか１項に記載のデバイス。
【請求項３４】
前記中央部の近くにある前記形状変化薄膜の外面が、前記外方の支持体の前記中央の環状領域の内面と連携されて、前記外方の支持体の前記中央の環状領域の内面に接合される、請求項２６から請求項３３のいずれか１項に記載のデバイス。
【請求項３５】
前記変形可能部が、前記外方の支持体内で自由に可動である、請求項２６から請求項３４のいずれか１項に記載のデバイス。
【請求項３６】
前記変形可能部が、遠近調節の間に前記中央部に対して内部の倒状可能な動き又は変位を受けるように構成される、請求項２６から請求項３５のいずれか１項に記載のデバイス。
【請求項３７】
前記力変換アームの前記第１端が、前記変形可能部に対して位置決めされるように構成される、請求項２６から請求項３６のいずれか１項に記載のデバイス。
【請求項３８】
収縮で、前記毛様体構造が、前記力変換アームの前記第１端を前記変形可能部で押圧させ、前記中央部の方への前記変形可能部の内側の倒状可能な動きを生じさせる前記第２端を押圧する、請求項２６から請求項３７のいずれか１項に記載のデバイス。
【請求項３９】
前記中央部の方への前記変形可能部の内側の倒状可能な動きが、前記形状変化薄膜の領域を外方に撓ませる、請求項２６から請求項３８のいずれか１項に記載のデバイス。
【請求項４０】
前記中央部の方への前記変形可能部の内側の倒状可能な動きにより、前記密閉チャンバでの光学流体が、前記形状変化薄膜の外方への湾曲を生じさせる前記形状変化薄膜の前記内面を押圧する、請求項２６から請求項３９のいずれか１項に記載のデバイス。
【請求項４１】
前記レンズ体の前記中央部が、略円形であり、前記レンズ体の前記変形可能部が、蛇腹形状、ひだ付き形状、台形形状、円筒形状、楕円形状、円錐形状、球形状、半球形状から成る群から選ばれた形を有する、請求項２６から請求項４０のいずれか１項に記載のデバイス。
【請求項４２】
前記レンズ体の前記変形可能部が、前記力変換アームに前記毛様体構造によって印加された力に応じて前記レンズ体の前記中央部に対して動く、請求項２６から請求項４１のいずれか１項に記載のデバイス。
【請求項４３】
前記変形可能部が、約５０μｍから約５００μｍの間の距離を動く、請求項４２に記載のデバイス。
【請求項４４】
前記変形可能部の動く距離が、少なくとも３ジオプターで少なくとも前記レンズ体の屈折力変化を生じさせる、請求項４３に記載のデバイス。
【請求項４５】
前記印加される力が、約０．１ｇｆから５ｇｆである、請求項４２から請求項４４のいずれか１項に記載のデバイス。
【請求項４６】
前記安定化ハプティックが、光学部品の連携を維持し、かつ前記眼への移植後に前記デバイスの動きに抗するように構成される、請求項１から請求項４５のいずれか１項に記載のデバイス。
【請求項４７】
前記安定化ハプティックが、前記眼内での前記安定化ハプティックの固定を改善するために、噛み込み要素をさらに含む、請求項１から請求項４６のいずれか１項に記載のデバイス。
【請求項４８】
前記噛み込み要素が、溝が彫られたエッジ及び／又は穴を備える、請求項４７に記載のデバイス。
【請求項４９】
前記安定化ハプティックが、開ループの、閉ループの、プレート・スタイルの、プレート・ループの、単ブロック・プレート・スタイルの、ｊ−ループの、ｃ−ループの、修正されたＪ−ループの、複数ピースの、単一ピースの、角張った、平面の、オフセットのものからなる群から選ばれる、請求項１から請求項４８のいずれか１項に記載のデバイス。
【請求項５０】
前記安定化ハプティックが、力変換アームと同軸又は共面である、請求項１から請求項４９のいずれか１項に記載のデバイス。
【請求項５１】
前記安定化ハプティックが、前記力変換アームとは異なる平面上に配置される、請求項１から請求項４９のいずれか１項に記載のデバイス。
【請求項５２】
前記安定化ハプティックが、フレキシブルであるか、折り曲げられるか、形状記憶材料から形成される、請求項１から請求項５１のいずれか１項に記載のデバイス。
【請求項５３】
前記安定化ハプティックが、前記眼の毛様体の溝又は水晶体嚢の内に位置決めされるように構成される、請求項１から請求項５２のいずれか１項に記載のデバイス。
【請求項５４】
前記レンズ体が、光学ゾーンの外側に位置する変形可能部を備え、前記変形可能部が前記形状変形薄膜の領域である、請求項１から請求項５３のいずれか１項に記載のデバイス。
【請求項５５】
前記レンズ体が、光学ゾーンの内側に位置する変形可能部を備え、前記変形可能部が前記形状変形薄膜の領域である、請求項１から請求項５４のいずれか１項に記載のデバイス。
【請求項５６】
前記形状変形薄膜が環状である、請求項１から請求項５５のいずれか１項に記載のデバイス。
【請求項５７】
前記形状変化薄膜の外方への湾曲が、前記眼における前記デバイスの移植後に手動で調整可能である、請求項１から請求項５６のいずれか１項に記載のデバイス。
【請求項５８】
前記静的な要素が、屈折力を有する静的なレンズである、請求項１から請求項５７のいずれか１項に記載のデバイス。
【請求項５９】
前記静的なレンズが前記眼に対して後方に位置決めされ、前記形状変化部材が前記眼に対して前方に位置決めされる、請求項５８に記載のデバイス。
【請求項６０】
前記形状変化薄膜が一定の厚さを有する、請求項１から請求項５９のいずれか１項に記載のデバイス。
【請求項６１】
前記形状変化薄膜の前記領域が、前記密閉チャンバ内の増加した内部圧力で、又は、前記形状変化薄膜の前記内面に対する前記光学流体による圧力の印加で撓みやすい減肉厚領域である、請求項１から請求項６０のいずれか１項に記載のデバイス。
【請求項６２】
前記光学流体が、可視スペクトルにおいて高い清澄さ及び透過性の非圧縮性の液体又はゲルを備える、請求項１から請求項６１のいずれか１項に記載のデバイス。
【請求項６３】
前記光学流体が、シリコーンオイル又はフルオロシリコーンオイルである、請求項１から請求項６２のいずれか１項に記載のデバイス。
【請求項６４】
前記力変換アームが、前記レンズ体の前記形状変形薄膜と前記毛様体構造との間に延在するように構成された長さを有する、請求項１から請求項６３のいずれか１項に記載のデバイス。
【請求項６５】
前記長さの調節が、前記眼における前記デバイスの挿入に先立って、又は眼における前記デバイスの挿入の後に可能である、請求項６４に記載のデバイス。
【請求項６６】
前記調節が、機械的である、請求項６５に記載のデバイス。
【請求項６７】
前記力変換アームが、ともに結合された２つの部分を備える、請求項６５又は請求項６６に記載のデバイス。
【請求項６８】
前記２つの部分が、ヒンジ、ピストン、圧着、ネジ又はカム・メカニズムによってともに結合される、請求項６７に記載のデバイス。
【請求項６９】
前記２つの部分が、化学物質によってともに結合される、請求項６７に記載のデバイス。
【請求項７０】
前記毛様体構造が、毛様体筋、毛様体、毛様体突起及び小帯の少なくとも１つを備える、請求項１から請求項６９のいずれか１項に記載のデバイス。
【発明の詳細な説明】
【技術分野】
【０００１】
本開示は、一般に眼科の分野に関し、具体的には遠近調節型（accommodating）の眼内レンズのような眼内レンズ（ＩＯＬs）を含む眼科デバイスに関する。
【背景技術】
【０００２】
必要に応じて、健全な若い人間の眼は、遠距離又は近距離にある目的物に合焦できる。近見から遠見まで前後に変更する眼の能力は、遠近調節（accommodation）と呼ばれる。毛様体筋が収縮してそれによって水晶体嚢の赤道付近の領域での安静時の小帯の緊張を解放するとき、遠近調節が生じる。小帯の緊張の解放は、レンズの固有の弾性をより球状又はより球状の形に変更するのを可能にして、前後のレンズ形表面の表面曲率を増加させる。
【０００３】
人間のレンズは、視覚システムでのその働きを下げる１つ以上の疾患で苦しむ可能性がある。共通の水晶体疾患は、通常清澄で（clear）自然な水晶体マトリックスの混濁である白内障である。混濁は老化現象に起因する場合があるが、遺伝又は糖尿病によって引き起こされる場合がある。白内障手術では、患者の不透明な水晶体は清澄なレンズ・インプラント又はＩＯＬと置き換えられる。
【０００４】
従来の嚢外の白内障手術では、毛様体及び毛様体筋への小帯の靭帯接続と一緒に前後の水晶体（capsule）の薄い壁を無傷のままで水晶体マトリックスが除去される。水晶体コアは、曲線から成る嚢切開（つまり水晶体嚢の前部部分の除去）を通して水晶体超音波乳化吸引によって除去される。
【０００５】
数日から数週にわたる治癒期間の後、水晶体嚢は、嚢切開、嚢の壁の圧潰及びそれに続く線維症によりＩＯＬのまわりで効果的に収縮包装する（shrink-wrap）。今日実行されるような白内障手術は、遠近調節を提供する眼の自然な構造のほとんどの回復不能な損失を生じさせる。水晶体マトリックスが完全に失われて、水晶体嚢の完全性が嚢切開（capsularhexis）によって低下する。ＩＯＬのまわりの水晶体嚢の「収縮包装」は、小帯複合体（complex）にダメージを与える場合がある、そしてその後、毛様体筋が萎縮することがある。したがって、従来のＩＯＬs（調節性のことを公言するものさえ）も、近見に対する適切量の遠近調節を供給するために光軸又はレンズ形状変化に沿った十分な軸方向のレンズ空間変位を提供することができないことがある。
【０００６】
有水晶体のＩＯＬｓの場合に既存のレンズでの屈折誤差を対処するか又は偽水晶体の患者の場合に白内障手術後に標準ＩＯＬの屈折結果を改善するために、レンズの組み合わせ体を移植することは既知である。これらの「ピギーバック」ＩＯＬsは、偽水晶体の場合に白内障手術の屈折結果を改善するか又は有水晶体眼の場合に眼の屈折ステータスを変更するために、通常、高度の近視を矯正するために、以前に移植されたＩＯＬ又は自然レンズの前方に配置される場合がある。一般に、これらのレンズは、溝に移植されて非遠近調節である。
【発明の概要】
【０００７】
いくつかの実施形態（implementations）では、眼の治療に関する遠近調節型の眼内レンズのデバイスが開示されている。眼内レンズのデバイスは、眼の領域内に位置決めされるように構成された安定化ハプティック（haptic）を含む。眼内レンズのデバイスは、一定体積の光学流体を含む密閉チャンバを有するレンズ体を含む。レンズ体は、眼の光軸を囲む領域で外方に撓むように構成された形状変化薄膜と、第１の形状変化薄膜に対して変位（displacement）を受けるように構成された形状変形薄膜と、静的な要素とを含む。形状変化薄膜の内面と形状変形薄膜の内面と静的な要素の内面とは、共同で（collectively）密閉チャンバを形成する。眼内レンズのデバイスは、レンズ体の形状変形薄膜の外面と接触するように構成された第１端と、眼の毛様体構造と係合するように構成された第２端とを有する力変換アーム（force translation arm）を含む。力変換アームは、毛様体構造の動きでレンズ体に対して動くように構成される。
【０００８】
形状変形薄膜は、遠近調節の間に形状変化薄膜に対して眼の光軸への内方変位を受けるように構成される場合がある。力変換アームの内方への動きは、密閉チャンバの変形を生じさせる眼の光軸への形状変形薄膜の少なくとも１つ以上の領域の内方への動きを生じさせる場合がある。形状変形薄膜の内方への動きにより、密閉チャンバでの光学流体が形状変化薄膜の内面を押圧して、形状変化薄膜の外方への湾曲を生じさせる場合がある。眼内レンズのデバイスは、密閉チャンバ内に内方の支持体をさらに含む場合がある。内方の支持体は、力変換アームの動きの間に歪みからレンズの光学部品を機械的に分離することができる。内方の支持体は、密閉チャンバ内に互いに離間した複数の内方の支持体を含むことができる。内方の支持体は、形状変形薄膜の内方への動きの間に接触を回避するために先細りの形状を含む場合がある。
【０００９】
安定化ハプティックは、レンズ体に接合される場合がある。安定化ハプティックは、レンズ体の一部として成型される場合がある。眼内レンズのデバイスは、外方の支持体をさらに含む場合がある。内方の支持体は、形状変化薄膜の周辺領域に結合される場合がある。内方の支持体は、密閉チャンバを変形可能領域と中央部とに分割する密閉チャンバ内のパーティション（partition）を形成する場合がある。変形可能領域は、光学ゾーンの外側に位置する場合がある。変形可能領域は、光学ゾーンの内側に位置する場合がある。力変換アームの内方への動きは、形状変形薄膜の内方への動き及び変形可能領域の変形を生じさせる場合がある。形状変形薄膜の内方への動きは、密閉チャンバを圧縮できる。密閉チャンバでの光学流体は、非圧縮性であり、形状変化薄膜の内面を押圧することがあり、形状変化薄膜の外方への湾曲を生じさせる場合がある。内方の支持体は、静的な要素の領域にさらに結合される場合がある。内方の支持体は、密閉チャンバの変形可能領域と中央部との間での流体連通を提供する内方の支持体を貫通して延在するチャネルを含む場合がある。
【００１０】
眼内レンズのデバイスは、外方の支持体をさらに含む場合がある。外方の支持体は、剛体であり、レンズ体に対して力変換アームの動きによって生じた歪みを防ぐように構成される場合がある。安定化ハプティック（stabilization haptic）は、外方の支持体の外表面に接合される場合がある。安定化ハプティックは、外方の支持体の一部として成型される場合がある。第１端が形状変形薄膜に対して位置決めされるように、力変換アームの第１端は、外方の支持体の周壁でのチャネルを通して延在する場合がある。外方の支持体は、中央の環状領域及び対向する側面領域を含む場合がある。レンズ体は、中央部及び対向した変形可能部を含む場合がある。中央部は、外方の支持体の中央の環状領域と連携する（align with）場合がある。そして、レンズ体の変形可能部は、外方の支持体の対向する側面領域の内で延在する。形状変形薄膜の外面は、中央の環状領域を通して露出する場合がある。静的な要素の外面は、中央の環状領域を通して露出する場合がある。力変換アームの第１は、外方の支持体の第１の側壁の第１の開口を貫通して第１のチャネルの中に延在する場合がある。力変換アームの第２は、外方の支持体の第２の側壁の第２の開口を貫通して第２のチャネルの中に延在する場合がある。第１のチャネル及び第２のチャネルは、中央の環状領域の反対の側にある場合がある。力変換アームは、第１のチャネル及び第２のチャネル内で前後に動くように構成される場合がある。
【００１１】
形状変形薄膜は、形状変化薄膜に結合された第１表面と、静的な要素に結合された第２表面と、第１表面と第２表面との間で延在する側壁とを有する場合がある。レンズ体が外方の支持体に対して固定して位置決めされるように、形状変形薄膜の側壁は、外方の支持体の中央部の内面と連携して、内面に接合される場合がある。中央部は、光軸を囲む場合がある。そして、変形可能部は中央部の外側に位置する。中央部近くの形状変化薄膜の外面は、外方の支持体の中央の環状領域の内面と連携して、内面に接合される場合がある。変形可能部は、外方の支持体内で自由に可動である場合がある。変形可能部は、遠近調節の間に中央部に対して内方への倒状可能な（collapsible）動き又は変位を受けるように構成される場合がある。力変換アームカムの第１端は、変形可能部に対して位置決めされるように構成される。収縮で、毛様体構造は、力変換アームの第１端を変形可能部で押圧させ、中央部に向けての変形可能部の内方への倒状可能な動きを生じさせる第２端を押圧する場合がある。中央部に向けての変形可能部の内方への倒状可能な動きは、形状変化薄膜の領域を外方に撓ませる場合がある。中央部に向けての変形可能部の内方への倒状可能な動きにより、密閉チャンバ中の光学流体が、形状変化薄膜の外方への湾曲を生じさせる形状変化薄膜の内面を押圧する場合がある。
【００１２】
レンズ体の中央部は、略円形である場合がある。そして、レンズ体の変形可能部は、蛇腹状、ひだ付きの（pleated）、台形の、円筒状の、楕円の、円錐の、球状の、及び半球状のものから成る群から選ばれた形を有する場合がある。レンズ体の変形可能部は、力変換アームに毛様体構造によって印加された力に応じて、レンズ体の中央部に対して動く場合がある。変形可能部は、約５０μｍから約５００μｍの距離を動くことができる。変形可能部が動く距離は、少なくとも３ジオプターまでレンズ体の屈折力（power）変化を少なくとも生じさせる場合がある。印加された力は、約０．１ｇｆから約５ｇｆである場合がある。安定化ハプティックは、光学部品（optics）の連携を維持し、かつ眼における移植に従うデバイスの動きに抗するように構成される場合がある。安定化ハプティックは、眼内でのハプティックの固定を改善するために噛み込み要素をさらに含む場合がある。噛み込み要素は、溝が彫られたエッジ及び／又は穴を含むことができる。安定化ハプティックは、開ループの、閉ループの、プレート・スタイルの、プレート・ループの、単ブロック・プレート・スタイルの、ｊループの、ｃループの、修正されたＪループの、多ピースの、単一ピースの、角張っている、平面の、あるいはオフセットのハプティックである場合がある。安定化ハプティックは、力変換アームと同軸で又は共面である場合がある。安定化ハプティックは、力変換アームとは異なる平面に配置される場合がある。安定化ハプティックは、フレキシブルであるか又は折り曲げられるか、形状記憶材料から形成される場合がある。安定化ハプティックは、眼の毛様体の溝又は水晶体嚢の内に位置決めされる場合がある。
【００１３】
レンズ体は、光学ゾーンの外に位置する変形可能部を含む場合がある。変形可能部は、形状変形薄膜の領域である場合がある。レンズ体は、光学ゾーンの内に位置する変形可能部を含む場合がある。変形可能部は、形状変形薄膜の領域である場合がある。形状変形薄膜は、環状である場合がある。形状変化薄膜の外方への湾曲は、眼へのデバイスの移植後に手動で調整可能である場合がある。静的な要素は、屈折力を有する静的なレンズである場合がある。静的なレンズは、眼に対して後方に位置決めされる場合がある。そして、形状変化部材は眼に対して前方に位置決めされる場合がある。形状変化薄膜は、一定の厚さを有する場合がある。形状変化薄膜の領域は、密閉チャンバ内での増加した内部圧力、又は形状変化薄膜の内面に対する光学流体による圧力の印加で撓み（give way）やすい減肉厚領域である場合がある。光学流体は、可視スペクトルにおいて高い清澄さ及び透過性の非圧縮性の液体又はゲルを含む場合がある。光学流体は、シリコーンオイル又はフルオロシリコーンオイルである場合がある。
【００１４】
力変換アームは、レンズ体の形状変形薄膜と毛様体構造との間に延在するように構成された長さを有する場合がある。長さは、眼におけるデバイスの挿入の前又は後に調整可能である場合がある。その調節は、機械的である場合がある。力変換アームは、ともに結合された２つの部分を含む場合がある。２つの部分は、ヒンジ、ピストン、圧着（crimp）、ネジ又はカム・メカニズムによってともに結合される場合がある。２つの部分は、化学物質によってともに結合される場合がある。毛様体構造は、毛様体筋、毛様体、毛様体突起及び小帯の少なくとも１つを含む場合がある。
【００１５】
デバイス、システム及び方法の詳細が、添付図面と以下の記載とに示される。他の特徴及び利点が、記載と図面とから明白になる。
【００１６】
これらの態様及び他の態様は、以下の図面を参照しながら詳細に説明されるであろう。概して言えば、図は、絶対的に又は比較的に一定の縮尺で（to scale）あるものでないが、実例であることを意図している。さらに、特徴及び要素の相対的な配置は、実例の明瞭さを目的として修正されることがある。
【図面の簡単な説明】
【００１７】
【図１Ａ】不透明な水晶体嚢を持った眼の斜視断面図である。
【図１Ｂ】従来の３ピースのＩＯＬの移植で曲線から成る嚢切開及び水晶体マトリックスが除去された図１Ａの眼の斜視断面図である。
【図１Ｃ】眼の前部角度の断面図である。
【図２Ａ】遠近調節型の眼内レンズ（「ＡＩＯＬ」）の実施形態の斜視図である。
【図２Ｂ】図２ＡのＡＩＯＬの分解図である。
【図２Ｃ】図２ＡのＡＩＯＬの平面図である。
【図２Ｄ】図２ＡのＡＩＯＬの底面図である。
【図２Ｅ】Ｅ−Ｅ線に沿って切断された、図２ＣのＡＩＯＬの断面図である。
【図２Ｆ】Ｆ−Ｆ線に沿って切断された、図２ＤのＡＩＯＬの断面図である。
【図２Ｇ】図２ＡのＡＩＯＬの側面図である。
【図２Ｈ】Ｈ−Ｈ線に沿って切断された、図２ＧのＡＩＯＬの断面図である。
【図３Ａ】図２ＡのＡＩＯＬのレンズ体の斜視図である。
【図３Ｂ】図３Ａのレンズ体の展開図である。
【図３Ｃ】図３Ａのレンズ体の静的なレンズの平面図である。
【図３Ｄ】Ｄ−Ｄ線に沿って切断された、３Ｃ図の静的なレンズの断面図である。
【図３Ｅ】図３Ａのレンズ体の形状変化薄膜の断面図である。
【図３Ｆ】円Ｆの図３Ｅの形状変化薄膜の詳細断面図である。
【図４Ａ】形状変化薄膜の様々な概略側面図である。
【図４Ｂ】形状変化薄膜の様々な概略側面図である。
【図４Ｃ】形状変化薄膜の様々な概略側面図である。
【図４Ｄ】形状変化薄膜の様々な概略側面図である。
【図４Ｅ】形状変化薄膜の様々な概略側面図である。
【図５Ａ】レンズ体の実施形態の概略断面図である。
【図５Ｂ】図５Ａのレンズ体の概略平面図である。
【図５Ｃ】レンズ体の別の実施形態の概略断面図である。
【図５Ｄ】レンズ体の実施形態の概略断面図である。
【図５Ｅ】図５Ｄのレンズ体の概略平面図である。
【図５Ｆ】レンズ体の実施形態の概略断面図である。
【図５Ｇ】図５Ｆのレンズ体の概略平面図である。
【図５Ｈ】レンズ体の別の実施形態の概略平面図である。
【図５Ｉ】レンズ体の実施形態の概略断面図である。
【図５Ｊ】図５Ｉのレンズ体の概略平面図である。
【図６】毛様体構造とレンズ体との間に延在する力変換アームの実施形態の概略平面図である。
【図７】毛様体構造とレンズ体との間に延在する力変換アームの実施形態の概略平面図である。
【図８Ａ】毛様体構造とレンズ体との間に延在する力変換アームの実施形態の概略平面図である。
【図８Ｂ】毛様体構造とレンズ体との間に延在する力変換アームの実施形態の概略平面図である。
【図９】毛様体構造とレンズ体との間に延在する力変換アームの実施形態の概略平面図である。
【図１０】毛様体構造とレンズ体との間に延在する力変換アームの実施形態の概略平面図である。
【図１１】毛様体構造とレンズ体との間に延在する力変換アームの実施形態の概略平面図である。
【図１２】毛様体構造とレンズ体との間に延在する力変換アームの実施形態の概略平面図である。
【図１３】毛様体構造とレンズ体との間に延在する力変換アームの実施形態の概略の側面図である。
【図１４Ａ】本願に係るデバイスのための屈折力調整機構の実施形態の概略平面図である。
【図１４Ｂ】本願に係るデバイスのための屈折力調整機構の実施形態の概略平面図である。
【図１５】本願に係るデバイスのための屈折力調整機構の実施形態の概略平面図である。
【図１６】本願に係るデバイスのための屈折力調整機構の実施形態の概略平面図である。
【図１７】本願に係るデバイスのための屈折力調整機構の実施形態の概略平面図である。
【図１８】変形可能部１８２及び中央部１８０を有する形状変形薄膜１４０を示す。
【図１９】力（ｇｆ）の印加による形状変形薄膜の動き（μｍ）でレンズ体において達成された屈折力（Ｄ）を図示する。
【図２０】眼内に位置決めされた遠近調節型の眼内レンズのデバイスの横断面の部分的な斜視図である。
【図２１】虹彩なしでハプティックが可視であるように示された眼内に位置決めされた図２０のデバイスの横断面の斜視図である。
【図２２】非遠近調節状態にある図２０のデバイスの横断面の側面図である。
【図２３】遠近調節状態にある図２０のデバイスの横断面の側面図である。
【図２４】虹彩なしでハプティックが可視であるように示された眼内に位置決めされた遠近調節型の眼内レンズのデバイスの横断面の側面図である。
【図２５Ａ】遠近調節型の眼内レンズの別の実施形態の斜視図である。
【図２５Ｂ】図２５Ａのレンズの側面図である。
【図２５Ｃ】図２５Ａのレンズの側面図である。
【図２５Ｄ】非遠近調節の弛緩状態にある図２５Ａのレンズの横断面の部分図である。
【図２５Ｅ】遠近調節の作動状態にある図２５Ａのレンズの横断面の部分図である。
【図２５Ｆ】図２５Ｄの詳細図である。
【図２５Ｇ】図２５Ｅの詳細図である。
【図２６Ａ】遠近調節型の眼内レンズの別の実施形態の斜視図である。
【図２６Ｂ】図２６Ａのレンズの断面図である。
【図２６Ｃ】図２６Ｂの詳細図である。
【図２６Ｄ】遠近調節型の眼内レンズの斜視図である。
【図２６Ｅ】図２６Ｄのレンズの平面図である。
【図２６Ｆ】図２６Ｄのレンズの横断面の側面図である。
【図２７Ａ】非遠近調節の弛緩状態にある遠近調節型の眼内レンズの別の実施形態の横断面の部分的な斜視図である。
【図２７Ｂ】非遠近調節の弛緩状態にある、図２７Ａのレンズの横断面の部分側面図である。
【図２７Ｃ】遠近調節の作動状態にある遠近調節型の眼内レンズの別の実施形態の横断面の部分的な斜視図である。
【図２７Ｄ】遠近調節の作動状態にある、図２７Ｃのレンズの横断面の部分側面図である。
【００１８】
図面が単なる例示であり、一定の縮尺であることを意味しないことは認識されるべきである。
【発明を実施するための形態】
【００１９】
本開示は、一般に眼科の分野に関し、より具体的には遠近調節型の眼内レンズ（ＡＩＯＬｓ）のような眼内レンズ（ＩＯＬs）を含む眼科デバイスに関する。本願に係るデバイスは、若い調節性の自然な眼のように、遠近調節（accommodation）と非遠近調節（disaccommodation）との間で繰り返して前後に切り替えることができる。本願に係るデバイスは、遠近調節及び非遠近調節をもたらすために、自然レンズ（毛様体、毛様体突起及び小帯）によって典型的に使用される眼組織に対して機械的に且つ機能的に相互に作用することによって距離及び調節性範囲の両方における合焦能力（focusing power）を提供できる。これらの組織によって生成された力は、屈折力（power）変化をより効果的に遠近調節させる、本願に係るデバイスに機能的に変換される。本願に係るデバイスは、サイズが調節され、移植前に、移植の間に、移植後いつでも適合するように構成される。本願に係るデバイスは、病気の自然レンズ（natural lens）を交換するために眼に移植される場合がある。しかしながら、当該デバイスが、患者の水晶体嚢（偽水晶体の患者）内に以前に移植された自然レンズ（有水晶体の患者）又は眼内レンズの補完として移植されることは認識されるべきである。
【００２０】
図１Ａを参照する。人間の眼１０は、角膜１２、虹彩１４、溝１６、毛様体筋１８、小帯２０、及び、水晶体嚢（capsular sac）２２内に含まれているレンズ２１を含む。毛様体筋１８が、収縮してそれによって水晶体嚢２２の赤道付近の領域にある安静時の小帯の緊張を解放するとき、遠近調節が生じる。小帯の緊張の解放は、レンズ２１の固有の弾性をより球状の又はより球面の形に変更するのを可能にして、前部のレンズ形の表面２３及び後部のレンズ形の表面２４の両方の表面曲率を増加させる。さらに、人間のレンズは、視覚システムでの働きを下げる１つ以上の疾患で苦しむ場合がある。共通の水晶体疾患は、通常は清澄で自然な水晶体マトリックス２６の混濁から成る白内障である。混濁は、老化作用に起因する場合があるが、遺伝又は糖尿病によって引き起こされる場合がある。図１Ａは、不透明になった水晶体核２６を持った水晶体嚢２２を備える水晶体嚢を示す。
【００２１】
白内障手術では、患者の不透明な水晶体が、清澄なレンズインプラント又はＩＯＬ３０と置き換えられる。従来の嚢外の白内障手術において、図１Ｂに図示されるように、水晶体マトリックス２６は、毛様体及び毛様体筋１８への小帯の靭帯接続と一緒に前後の嚢（capsule）の薄い壁を完全に（intact）しておいて除去される。水晶体コアは、図１Ｂに図示するように曲線から成る（curvilinear）嚢切開（つまり水晶体嚢の前部部分２３の除去）を通して水晶体超音波乳化吸引によって除去される。図１Ｂは、水晶体嚢２２への移植直後の従来の３ピースのＩＯＬ３０を図示する。数日から数週にわたる治癒期間後の水晶体嚢２２は、嚢切開、水晶体嚢２２の壁の圧潰及びそれに続く線維症により、従来の３ピースのＩＯＬ３０のまわりで効果的に収縮包装する場合がある。今日実行されるような白内障手術は、遠近調節を提供する眼の自然な構造のほとんどの回復不能な損失を生じさせる。水晶体マトリックス２６が完全に失われる。そして、水晶体嚢２２の完全性が嚢切開によって低下する。水晶体嚢の線維症は、そのバッグに配置されたレンズの動態的動きを制限する。したがって、従来のＩＯＬ（調節性のことを公言するものでさえも）は、近見のための適切量の遠近調節を提供するために光軸又はレンズ形状変化に沿った十分な軸方向のレンズ空間変位を提供できないことがある。
【００２２】
有水晶体のＩＯＬsの場合に既存のレンズでの屈折誤差を対処するために、又は偽水晶体の患者の場合に白内障手術後に標準ＩＯＬの屈折結果を改善するために、レンズの組み合わせ体を移植することは既知である。これらの「ピギーバック」ＩＯＬsは、偽水晶体の場合に白内障手術の屈折結果を改善するために、あるいは通常、高度の近視を矯正するために有水晶体眼の場合に眼の屈折ステータスを変更するために、以前に移植されたＩＯＬ又は自然レンズの前方に配置することができる。一般に、これらのレンズは、毛様体の溝に移植されて非遠近調節である。図１Ｃに最もよく示されるように、毛様体の溝１６は、虹彩１４のベースの後面と毛様体の前面との間にあるスペースである。
【００２３】
遠近調節型のＩＯＬsは白内障を患っていない患者にとって有益である。しかし、患者は、近視、遠視及び老眼を矯正するために眼鏡及びコンタクトレンズに対する依存を低減することを望む。近視、遠視及び乱視眼における大きな屈折異常を矯正するために使用された眼内レンズは、「有水晶体の眼内レンズ」と呼ばれ、水晶体を除去することなく移植される。ある場合には、白内障が存在しなくても、無水晶体のＩＯＬs（有水晶体でないＩＯＬs）は、レンズ取り出し及び置換手術を介して移植される。この手術の間に、水晶体は取り出される。そして、ＩＯＬは、白内障手術に非常に類似したプロセスで交換される。屈折レンズ交換は、白内障手術のように、レンズ置換を含み、レンズ挿入のために眼に小さな切開と局所麻酔の使用とをなすことを要求し、およそ３０分続く。本願において説明される遠近調節型のＩＯＬsは、屈折レンズ交換のために患者に使用できる。
【００２４】
水晶体嚢と無関係に、例えば３ジオプター（Ｄ）から約５Ｄの範囲で所望の屈折力変更を達成することができる遠近調節型のＩＯＬｓ（「ＡＩＯＬｓ」）が、本願において説明される。本願に係るデバイスは、１つ以上の毛様体構造の動きを利用し、かつ動きを遠近調節と非遠近調節とのためのレンズ体の形状変化に至らせる機能的な力に変換するために眼に位置決めされるように構成された１つ以上の力変換アームを含むことができる。本願に係るデバイスは、力変換アームと離れていて、例えば毛様体の溝の内に位置決めできる、１つ以上の安定化ハプティックをさらに含む場合がある。本願に係るデバイスは、上述されている水晶体嚢の線維症により生じる傾向がある既知の問題を除去する。本願に係るデバイスが、毛様体筋、毛様体、毛様体突起及び小帯を含むがこれらに限定されない毛様体構造の１つ又は組み合わせの動きを利用する（harness）ように構成されることは、認識されるべきである。簡潔さのために、毛様体構造は、１つ以上の毛様体構造のことを言及する（refer to）ために全体にわたって使用される。本願において詳細に説明されるように、レンズ体の遠近調節をもたらすために、力変換アームによってその動きが利用される。
【００２５】
本願に係るデバイスは、病気の自然レンズを交換するために眼に移植される。いくつかの実施形態では、本願に係るデバイスは、屈折レンズ交換手術を介して無水晶体のＩＯＬsとして移植される。本願において説明される眼内レンズは、自然レンズ（有水晶体の患者）又は患者の水晶体嚢（偽水晶体の患者）内に以前に移植された眼内レンズの補完として移植される。本願において説明されるレンズは、米国特許公開第２００９／０２３４４４９号、米国特許公開第２００９／０２９２３５５号及び米国特許公開第２０１２／０２５３４５９号において説明される眼内レンズと組み合わせて使用できる。それらは、各々、それらの全体が参照によって本願に組み込まれる。そのため、本願において説明されるレンズは、独立して又はいわゆる「ピギーバック」レンズとして使用される。ピギーバック・レンズは、有水晶体又は偽水晶体の眼において残余の屈折異常を矯正するために使用される。自然レンズを置換するために使用される主要なＩＯＬは、一般に厚くて、±１０Ｄから±２５Ｄの範囲である屈折力を通常有する。より厚くて、より大きな屈折力レンズは、一般に遠近調節する（accommodate）ことがない。対照的に、補助レンズは、ジオプター（Ｄ）の全範囲を所有する必要はない。補助レンズは、主要なＩＯＬと比較して相対的に薄くなり、より多くの遠近調節を受ける場合がある。薄いレンズの形状変化及び動きは、厚い主要なレンズに対して一般に容易に遂行される。本願において説明されるＡＩＯＬは、独立して使用でき、ピギーバック・レンズのように自然レンズ又は移植されたＩＯＬと組み合わせて使用される必要はない。本願において説明されるＡＩＯＬは、溝１６及び／又は水晶体嚢２２に位置決めされるように構成できる。
【００２６】
本願に係るデバイス及びシステムは、本願において説明される様々な特徴のいずれかを組み込むことができる。米国特許公開第２００９／０２３４４４９号、米国特許公開第２００９／０２９２３５５号及び米国特許公開第２０１２／０２５３４５９号において説明される様々なインプラント及び特徴と同様に、本願において説明されるシステム及びデバイスの実施形態のその要素又は特徴は、二者択一的に組み込まれるか、本願に係るデバイス及びシステムの別の実施形態の要素又は特徴と組み合わして組み込まれる。それらの米国特許公開は、各々参照によってそれらの全体が本願に組み込まれる。様々な組み合わせが本願において考えられるが、簡潔さのために、それらの組み合わせの各々の明示的な記載は省略される場合がある。追加的に、本願に係るデバイス及びシステムは、眼に位置決めされて、図に示されるように又は本願において説明されるように、具体的に移植される必要はない。様々なデバイスは、様々な異なる方法により及び様々な異なるデバイス及びシステムの使用で、移植され、位置決めされ、調節される。様々なデバイスは、移植前に、移植の間に、移植後いつでも調節される場合がある。様々なデバイスがどのように移植されて位置決めされるかのいくつかの代表的な記載が提供されるが、各々のインプラント又はシステムに関しての各方法の明示的な記載が、簡潔さのために省略されることがある。
【００２７】
図２Ａから図２Ｈに移る。遠近調節型の眼内レンズ（「ＡＩＯＬ」）１００は、外方の支持体１１０の中に位置決めされるとともに外方の支持体１１０に結合されて、１つ以上の力変換アーム１１５を有するレンズ体１０５を含む場合がある。１つ以上の安定化ハプティック１２０が、組み込まれる。外方の支持体１１０は、レンズ体１０５の中央部１０３が位置決めされる中央の環状領域１２５と、レンズ体１０５の変形可能部１０７が延在する対向する側面領域１３０とを含む場合がある。レンズ体１０５の前面は、外方の支持体１１０の中央の環状領域１２５の開口を通してデバイスの前部側から露出する場合がある。同様に、レンズ体１０５の後面は、外方の支持体１１０の中央の環状領域１２５の開口を通してデバイスの後部側から露出する場合がある。外方の支持体１１０の対向する側面領域１３０は、各々、開口１３３又はスロットから側面領域１３０の側壁１３４を通って中央の環状領域１２５の中に延在するチャネル１３２を含む場合がある（図２Ｈに最もよく示されている）。２つの対向する力変換アームは図に示されるが、本願に係るデバイスが、１つの、２つの、３つの、４つの又はそれ以上の力変換アーム１１５を有する場合があることは認識されるべきである。いくつかの実施形態では、力変換アーム１１５は、側面領域１３０のうちの１方の開口１３３を貫通して延在する場合がある。そして、第２の力変換アーム１１５は、対向する側面領域１３０の開口１３３を貫通して延在する場合がある。力変換アーム１１５は、毛様体構造の少なくとも一部と接触するか係合するように構成された外接触部１３５と、レンズ体１０５の少なくとも一部と接触するか又は位置決めされるように構成された内接触部１３７とを各々含む場合がある。力変換アーム１１５の接触部１３５が遠近調節と非遠近調節との間で毛様体構造に接触しているのを維持できるように、各力変換アーム１１５の接触部１３５は、外方の支持体１１０の外側にあることを維持できる。各力変換アーム１１５の接触部１３７は、開口１３３を貫通して延在することによりチャネル１３２内で変わる（translate）ことができる。下に詳細に説明されるように、レンズ体１０５の調節性の形状変化をもたらすために毛様体構造が変化する（move）とき、力変換アーム１１５は開口１３３を通してチャネル１３２内で自由に前後に動く場合がある。
【００２８】
例えば、動作（operation）のいかなる特別の理論又はモードに対するこの開示を制限せずに、毛様体筋１８は環状の構造又は括約筋である。自然な環境で、眼が遠い距離にある目標を見ているとき、毛様体内の毛様体筋１８が弛緩して、毛様体筋１８の内径がより大きくなる。毛様体突起は小帯２０を引っ張る。それは順にその赤道のまわりの水晶体嚢２２を引っ張る。これは自然レンズを平らにさせるか凸面でないようにさせる。それは非遠近調節（disaccommodation）と呼ばれる。遠近調節の間に、毛様体筋１８が収縮する。そして、毛様体筋１８の内径が小さくなる。自然レンズがその自然で凸形状に戻り（spring back）、眼が近距離で合焦できるように、毛様体突起は、小帯２０での緊張を解放する（release tension）。以下に詳細に説明されるように、本願に係るデバイスは、力変換アーム１１５で毛様体筋１８（あるいは１つ以上の毛様体構造）のその内側の／前部の動きを利用するように構成されている。本願においてより詳細に説明されるように、力変換アーム１１５が、毛様体筋１８の収縮で、毛様体構造（つまり小帯、毛様体突起及び／又は毛様体）の少なくとも１つと安静接触にあるか容易に接触するかのいずれかにあるように、力変換アーム１１５の接触部１３５が移植される。毛様体筋の収縮と、１つ以上の毛様体構造の光軸への内側の／前部の運動とは、力変換アーム１１５の接触部１３５に力を加える。力変換アーム１１５は、中央の環状領域１２５の方にチャネル１３２を通して内側に滑動することにより、レンズ体１０５に力を伝達する（transfer）。力変換アーム１１５の接触部１３７は、レンズ体１０５の中央部１０３でのより球状又は凸形状への形状変化を引き起こし、それにより近見焦点に適しているレンズの屈折力を高めるレンズ体１０５の変形可能部１０７に隣接するように構成される。
【００２９】
外方の支持体１１０は、シリコーン、ポリジメチルシロキサン（ＰＤＭＳ）、ポリウレタン、ＰＭＭＡ、ＰＶＤＦ、ポリアミド、ポリプロピレン、ポリカーボネート、ＰＥＥＫなど、及びその組み合わせを含むがそれらに限定されない、生体適合性のプラスチックから形成される場合がある。外方の支持体１１０は、チャネル１３２を通した力変換アーム１１５の動きによって生じた歪みを防ぐように構成される。いくつかの実施形態では、外方の支持体１１０が剛体である場合がある。他の実施形態では、折り曲げられない剛体のバージョンよりも小さな切開を通じて眼にデバイスが移植されるように、外方の支持体１１０は折り曲げられることができる。
【００３０】
外方の支持体１１０は、１つ以上の安定化ハプティック１２０に接合又は結合できる。いくつかの実施形態では、安定化ハプティック１２０は、少なくとも外方の支持体１１０の中央の環状領域１２５の一部を取り囲む要素１２１を介して外方の支持体１１０に結合できる（図２１に最もよく示されている）。他の実施形態では、安定化ハプティック１２０は、要素１２１なしで外方の支持体１１０に直接的に結合できる（図２４を参照）。安定化ハプティック１２０は、デバイスの光学部品の連携を維持するとともに、いったん移植されて調節性の形状変化を受けるデバイスの動きに抗するように構成された静的なハプティックとする場合がある。デバイスの前部、後部の回動を防止及び／又は制限して、力変換アーム１１５が動く間でのデバイス１００の安定性を維持するために、安定化ハプティック１２０は、溝１６及び／又は水晶体嚢の内に位置決めされて係合することができる。ハプティック１２０は、眼内でのハプティックの固定を改善するために溝が彫られたエッジ１６２及び穴１６４を有する終端近くの噛み込み要素１６０を含む場合がある（図２Ｂを参照）。ハプティック１２０は、開ループの、閉ループの、プレート・スタイルの、プレート・ループの、単ブロック・プレート・スタイルの、ｊ−ループの、ｃ−ループの、修正されたＪ−ループの、複数ピースの、単一ピースの、角張った、平面の、オフセットのものなどを含むがそれらに制限されない様々なハプティック設計あるいはハプティック設計の組み合わせのいずれかとする場合がある。ハプティック１２０は、力変換アーム１１５と同軸に又は共面にする場合がある。ハプティック１２０は、力変換アーム１１５とは異なる軸に沿って位置決めされるか、例えば、力変換アーム１１５からオフセットするか、又は力変換アーム１１５に対して角張っている場合がある。いくつかの実施形態では、ハプティック１２０は、力変換アーム１１５に対して０度から２０度の角度又は他の角度で位置決めされる。本願に考えられているハプティック１２０は、Ｒａｙｎｅｒ設計のハプティック（Ｒａｙｎｅｒ眼内レンズ株式会社、Ｅａｓｔ  Ｓｕｓｓｅｘ、英国）、ＮｕＬｅｎｓ設計のハプティック（ＮｕＬｅｎｓ株式会社、イスラエル）、Ｓｔａａｒレンズ設計（Ｓｔａａｒ、外科、Ｍｏｎｒｏｖｉａ、ＣＡ）及び他のものを含む場合がある。いくつかの実施形態では、ハプティック１２０は、シリコーン、ポリウレタン、ＰＭＭＡ、ＰＶＤＦ、ＰＤＭＳ、ポリアミド、ポリプロピレン、ポリカーボネート、ＰＥＥＫなど又は当該材料の組み合わせのような生体適合性ポリマーから形成される場合がある。ハプティック１２０は、折り曲げられる材料から形成されるか、又は折り曲げられるように構成される場合がある。いくつかの実施形態では、ハプティック１２０は形状記憶材料から形成される場合がある。
【００３１】
図２Ｂ、図３Ａから図３Ｆを参照する。レンズ体１０５は、レンズ体１０５の周囲の近くで材料の連続的なループ又はバンドを形成するようにリング状を形成する形状変形薄膜１４０を含む場合がある。形状変形薄膜１４０は、第１端すなわち（or）第１表面１４１と、第２端すなわち（or）第２表面１４２と、内面及び外面を有して第１表面１４１と第２表面１４２との間にある側壁１４３とを有する場合がある。形状変形薄膜１４０は、形状変化薄膜１４５への第１表面１４１に、例えばＡＩＯＬ１００の前部の側に、結合できる。形状変形薄膜１４０の第２表面１４２は、形状変化を受けない静的な要素１５０に、例えばＡＩＯＬ１００の後部の側に、結合できる。要素１５０は、光学的に清澄で、ＡＩＯＬの光学部品に影響せずに、支持機能を提供できる。要素１５０は、静的なレンズであるか、又は静的なレンズを含む場合がある。前部の薄膜が形状変化薄膜１４５の直径を規定し、形状変化薄膜１４５に形状変形薄膜を結合するように構成される前支持体を有する場合があることは認識されるべきである。形状変化薄膜１４５、形状変形薄膜１４０及び静的な要素１５０の内面は、一定体積の光学流体をそこに含むように構成された、一定体積を有して、定圧の密閉チャンバ１５５を共同で形成する場合がある。結合した際に、形状変形薄膜１４０、形状変化薄膜１４５及び静的な要素１５０が密閉チャンバ１５５とレンズ体１０５の変形可能部１０７及び中央部１０３とを形成するように、形状変形薄膜１４０、形状変化薄膜１４５及び静的な要素１５０の各々は、中央部と変形可能部とを含む場合がある。密閉チャンバ１５５は、形状変化薄膜１４５、静的な要素１５０及び形状変形薄膜１４０の側壁１４３の内面によって形成された略平坦なチャンバとすることができ、以下に詳細に説明されるように様々な形を有する場合がある。
【００３２】
レンズ体１０５が中央部１２５内に固定して位置決めされるように、形状変形薄膜１４０の側壁１４３の外面は、外方の支持体１１０の中央部１２５の内面と連携していて（aligned with）、内面に接合される場合がある。形状変化薄膜１４５が前方に位置決めされて、眼解剖学的構造に対して後方に位置決めされた静的なレンズのような静的な要素１５０とすることができるように、デバイス１００内及び眼内にあるレンズ体１０５の方向が変更できることは認識されるべきである。同様に、形状変化薄膜１４５は、眼解剖学的構造に対して後方に位置決めされ、静的な要素１５０は前方に位置決めされる。さらに、形状変形薄膜１４０の第１表面１４１，第２表面１４２ではなく外方の支持体１１０に直接的に結合することにより、形状変化薄膜１４５及び／又は静的な要素１５０が、デバイス１００内で密閉チャンバ１５５を作り出すことができることは認識されるべきである。さらに、レンズは、形状変化薄膜１４５の直径に結合して直径を規定する前支持体を含む場合がある。
【００３３】
図３Ｃ及び図３Ｄは、静的なレンズを有する静的な要素１５０の実施形態を図示する。静的なレンズは、シリコーン、ウレタン、アクリル材料、低弾性率のエラストマー又はそれらの組み合わせから形成される場合がある。静的なレンズは、正視の状態に矯正するための静的な光学部品であるか、又は無水晶体症の患者用の適切な屈折力（通常±３０Ｄへの±１０Ｄ）からなる場合ができる。静的なレンズは、ゼロの屈折力を有し、レンズ体１０５への後方の支持体を形成する場合がある。ＡＩＯＬ１００が別個の水晶体嚢のＩＯＬ（例えば「ピギーバック」レンズとして）と一緒に使用される場合、眼の光学系での残留屈折（residual refractive）又は他の光学収差のために矯正するために、屈折力は約−５Ｄから約＋５Ｄの範囲であるとする場合がある。いくつかの実施形態では、静的なレンズは、平面１５１及び曲面１５２を有する場合がある。平面１５１が眼の流体に接して、曲面１５２がレンズ体１０５の密閉チャンバ１５５に面する内面を形成するように、静的なレンズは、上述したようなレンズ体１０５の内側に位置決めされる。他の実施形態では、平面１５１がレンズ体１０５の密閉チャンバ１５５に面する内面を形成して曲面１５２が眼の流体に接するように、静的なレンズはレンズ体１０５の外側に位置決めされる。静的なレンズとそれを囲む流体（眼の流体であるか密閉チャンバ１５５内の光学流体である）との相対屈折率は、あらゆる所定の屈折力用の静的なレンズの形を決定するであろう。静的なレンズは、平面−凸面のことがある、凸面−平面の、凸面−凸面の、凹面−凸面の又は他の組み合わせである場合がある。静的なレンズは、例えば、フレキシブルなレンズに関連したあらゆる異常のために低減又は補償するために、球面レンズ、非球面レンズ、回折レンズ又は両方のあらゆる組み合わせである場合がある。
【００３４】
形状変化薄膜１４５は、光学的に清澄で低弾性率のエラストマー（シリコーン）から形成されたフレキシブルな光学部品である。例えば、密閉チャンバ１５５の変形の間に形状変化薄膜１４５の内面に印加された増加した力で、形状変化薄膜１４５が相対的にたわみやすくなっている減肉厚部を有するように、それが平面要素（図４Ａを参照）又は可変厚さ（図３Ｅから図３Ｆ、図４Ｂから図４Ｅを参照）であるように、形状変化薄膜１４５は一定の厚さを有する場合がある。形状変化薄膜１４５の構造が変化できることは認識されるべきである。いくつかの実施形態において、形状変化薄膜１４５は、線形の勾配厚さ（図４Ｂ）、湾曲した勾配厚さ（図４Ｃ）、丸みのつけられた又は直角の角度を含むステップを持った２つの、３つの又はそれ以上の厚さ（図４Ｄ）、あるいは、例えば、遠近調節ゾーン（つまり形状変化を受ける薄膜１４５の領域）の近くで屈曲するように構成された材料、及び、光学ゾーンを強化して歪みを制限するように構成された他の材料のような複数の材料（図４Ｅ）を有する場合がある。
【００３５】
いくつかの実施形態では、形状変化薄膜１４５の減肉厚部は、光軸Ａの内に、又は光軸Ａと平行に取り囲む、形状変化薄膜１４５の領域１７０の近くで見つけられる場合がある。減肉厚領域１７０は、外面（例えば前面）の外方への湾曲を生じさせる形状変化薄膜１４５の内側面上で密閉チャンバ１５５内の光学流体によって加えられた、増加した圧力により撓むように構成される場合がある。形状変化薄膜１４５の領域１７２は、領域１７０よりも大きな厚さを有して、密閉チャンバ１５５での光学流体によって加えられた内部圧力下で変形することに対して抵抗性がある場合がある。領域１７０が近見のために変形するときでさえ、形状変化薄膜１４５の領域１７２は遠視力矯正を提供し続ける場合がある。形状変化薄膜１４５の領域１７０は、領域１７２の材料よりも相対的に外方への湾曲の影響をより受けやすい材料から形成される場合がある。領域１７０は、相対的にシームレスで中断されない外面を提供するために領域１７２と結合してインジェクション成型である場合がある。領域１７０は、周囲の領域よりもさらに外方に撓ませる異なる剛性又は弾性を有する場合があるが、領域１７２の材料は略一貫している場合がある。形状変化薄膜１４５は、例えば、米国公開公報第２００９／０２３４４４９号（参照によってその全体が本願に組み込まれる）に説明されるように、広範囲の距離にわたって強化された視覚を本願において説明されるＡＩＯＬの着用者に提供するために変化に富んだ（varied）多焦点の能力を有するように構成される場合がある。
【００３６】
再び、図２Ｈを参照する。形状変形薄膜１４０は、中央部１８０及び変形可能部１８２を含む場合がある。いくつかの実施形態では、変形可能部１８２が中央部１８０に対して倒状可能なように、変形可能部１８２は、ヒンジによって中央部１８０に結合される場合がある。中央部１８０は、光軸Ａ内に又は光軸Ａと平行に囲繞するレンズ体１０５の中央部１０３を作り出すために形状変化薄膜１４５の変形可能領域１７０（及び静的な要素１５０の中央部）と連携している場合がある。レンズ体１０５の中央部１０３が外方の支持体１１０の中央の環状領域１２５に対して固定して取り付けられるように、中央部１８０の側壁１４３の外面は、中央の環状領域１２５の内面と連携していて当該内面に接合できる。上で詳細に説明されるように、レンズ体１０５の変形可能部１０７が遠近調節の間に中央部１０３に対して内方への倒状可能な動き又は変位を受けるように、レンズ体１０５の変形可能部１０７は、対照的に、外方の支持体１１０の側面領域１３０のチャネル１３２内で自由に可動である(moveable)場合がある。
【００３７】
図２Ｇから図２Ｈを参照する。変形可能部１８２は、力変換アーム１１５の接触部１３７に接触して、中央部１８０に対して動くように構成される。例えば、遠近調節の間に、力変換アーム１１５は、１つ以上の毛様体構造によって光軸Ａに向けて促される。接触部１３５は、１つ以上の毛様体構造と係合するように位置決めされる。接触部１３７は、形状変形薄膜１４０の変形可能部１８２に対して位置決めされる。収縮は、薄膜１４０の変形可能部１８２を形状変形薄膜１４０の中央部１８０に対する動きを受けさせる場合がある。この動きは、圧縮、収縮、圧潰（collapse）、圧入（indentation）、引き伸ばし、変形、回転自在の支持（hinging）、又は大略光軸Ａに向けての他のタイプの動きである場合がある。形状変形薄膜１４０の変形可能部１８２（したがってレンズ体１０５の変形可能部１０７）のこの動きは、ストレスを課すことなく、光学ゾーン上で押しつぶすことなく、光学ゾーン１０１での形状変化薄膜１４５の撓みを生じさせる場合がある。変形可能部１８２は、光学ゾーンの内側又は外側に位置する場合がある。本願で使用されるような光学ゾーンは、光軸を囲んで視覚に対して光学的に清澄であるレンズ体１０５の部分を一般的に指している。光学ゾーン全体は同じ矯正屈折力を有しないことがあるが、光学ゾーンは矯正屈折力を有するように構成される。例えば、光学ゾーンの中央部は矯正屈折力を有することがある。そして、光学ゾーンの周辺領域は矯正屈折力を有しないことがある。
【００３８】
上述のように、レンズ体１０５の密閉チャンバ１５５は、清澄で生体適合性の光学流体で満たされる場合がある。光学流体は、可視スペクトルにおいて清澄で透明な非圧縮性の液体又はゲルである場合がある。光学流体は、例えばシリコーンの流体及びゲル、官能化シリコーン流体及びゲル（例えばハロゲン（つまりフッ化シリコーン、芳香族の（つまりフェニル官能化シリコーンなど））、炭化水素、官能化炭化水素（長連鎖炭化水素）、ハロゲン化炭化水素（フッ化及び部分的にフッ化炭化水素）、水システム、流体及びゲルの両方である。その屈折率（ＲＩ）は、水溶性の（water-soluble）又は水膨潤性の（water swellable）ポリマー、バイオポリマー膨潤性の添加物（セルローズ）、さらに屈折率を増加させるためにナノストラクチャーを形成する有機又は無機の添加物の添加によって増大している。いくつかの実施形態では、密閉チャンバ１５５内の光学流体は、１．３７を超える屈折率を有する。他の実施形態では、密閉チャンバ１５５内の光学流体は、１．３７から１．５７の屈折率を有する。他の実施形態では、密閉チャンバ１５５内の光学流体は、１．３７から１．６０の屈折率を有する。
【００３９】
密閉チャンバ１５５内の光学流体は、形状変形薄膜１４０の変形可能部１８２（したがってレンズ体１０５の変形可能部１０７）が動く際に形状変化薄膜１４５の撓みを生じさせる場合がある。変形可能部１８２の内方への動きにより、レンズ体の一定体積の密閉チャンバ１５５内に含まれた非圧縮性の光学流体が、形状変化薄膜１４５の内面、及び形状変形薄膜１４０の側壁１４３の内面を含む密閉チャンバ１５５の表面を押圧することに帰着する場合がある。形状変化薄膜１４５が、力の印加で外方に撓むように構成された領域１７０の近くで領域を有するので、形状変化薄膜１４５の内壁に対する光学流体の圧力は、変形可能部１０７が内方に動く際に形状変化薄膜１４５の外面の外方への湾曲及び変形に帰着する。光学ゾーンの調節性の部分は、ＡＩＯＬ１００の屈折力を高めるようにさらに凸面形状になる。
【００４０】
形状変化薄膜１４５のこの形状変化が、或るチャンバから別のチャンバへ光学流体の実際のフローなしで生じることは認識されるべきである。もっと正確に言えば、密閉チャンバ１５５の内部での光学流体が密閉チャンバ１５５の形状変化と共に形状変化するとき、第１の領域の密閉チャンバ１５５を変形するために形状変形薄膜１４０に印加されている力は、少なくとも第２の領域の密閉チャンバ１５５の反作用の（reactive）変形を生じさせる場合がある。密閉チャンバ１５５は、一定体積（定圧）を有して変形可能である。光学流体は一定体積を有し、非圧縮性であり、密閉チャンバ１５５の形に応じて形状変化する。チャンバ１５５の１つ以上の部分（例えば変形可能部１０７）の内向きの変形は、密閉チャンバ１５５の内部にある非圧縮性の光学流体により、チャンバ１５５の別の部分（例えば形状変化薄膜１４５の領域１７０）の反作用の外向きの変形を生じさせる場合がある。したがって、光学流体は、実際にＡＩＯＬの別個のチャンバ間を流れないが、もっと正確に言えば、形状変化薄膜１４５の光学ゾーンの調節性部分をＡＩＯＬ１００の屈折力を高める外方に撓ませる密閉チャンバの形状変化と共に、形状変化する。
【００４１】
形状変形薄膜１４０、形状変化薄膜１４５及び静的な要素１５０は、ともに様々な形状のいずれかを有するレンズ体１０５を形成する場合がある。レンズ体１０５の中央部１０３は、略円形である。そして、変形可能部１０７は、蛇腹形状（bellowed）、ひだ付き形状（pleated）、台形形状、円筒形状、楕円形状、円錐形状、球形状、半球形状などを含む様々な形状のいずれかを有する場合がある（例えば、図５Ｂ、図５Ｅ、図５Ｇを参照）。さらに、変形可能部１０７が様々な中心軸に沿った様々な横断面の形状のいずれかを有する場合があることは認識されるべきである（例えば、図５Ａ、図５Ｃ、図５Ｄ及び図５Ｆを参照）。力変換アーム１１５の接触部１３７が、図５Ｈ、図５Ｉから図５Ｊ及び図２５Ｆに示されるように光学ゾーン内で形状変形薄膜１４０と接触するように、レンズ体１０５は、光学ゾーン内に中央部１０３及び変形可能領域を有する円形のエラストマーのリングである場合がある。レンズ体１０５の変形可能部１０７は、レンズ体１０５と同様に光学ゾーンの外側又は内側に（例えば、図５Ｈを参照）位置する場合がある。レンズ体１０５は、３つの、４つの又はそれ以上の変形可能部１０７を含む、２つ以上の変形可能部１０７を有する場合がある。
【００４２】
形状変形薄膜１４０は、光学的に清澄な低弾性率のエラストマー（シリコーン、ウレタン）、又はフレキシブルで非弾性のフィルム（ポリエチレン）から形成される場合がある。形状変形薄膜１４０の中央部１８０は、弾性材料からなる場合がある。形状変形薄膜１４０の変形可能部１８２は、弾性又は非弾性の材料から形成される場合がある。
【００４３】
図２Ｂ及び２Ｈを参照する。本願に係るデバイスは、外方の支持体１１０の側面領域１３０の側壁１３４の開口１３３を貫通して延在するように構成された力変換アーム１１５を含む場合がある。上述のように、力変換アーム１１５は、側面領域１３０のうちの１つの開口１３３を貫通して延在する場合がある。そして、第２の力変換アーム１１５は、対向する側面領域１３０の開口１３３を貫通して延在する場合がある。しかしながら、本願に係るデバイスが、２つ未満の及び２つ以上の力変換アーム１１５を含む場合があることは認識されるべきである。例えば、本願に係るデバイスは、デバイスのまわりで平等に配置された１つの、３つの又は４つ以上の力変換アーム１１５を含む場合がある。いくつかの実施形態では、力変換アーム１１５は、剛体であるポリマー（シリコーン、ポリウレタン、ＰＭＭＡ、ＰＶＤＦ、ＰＤＭＳ、ポリアミド、ポリプロピレン、ポリカーボネートなど又はそれらの組み合わせ）である場合がある。いくつかの実施形態では、力変換アーム１１５は、ＰＭＭＡで強化された要素である場合がある。
【００４４】
いくつかの実施形態では、力変換アーム１１５は、各々、様々な形のいずれかを有する場合がある外側の接触部１３５及び内側の接触部１３７を含む場合がある（例えば図２Ｂ及び２Ｈを参照）。接触部１３５は、遠近調節と非遠近調節との間で光学部品を形状変化に至らせるために、１つ以上の毛様体構造（毛様体、毛様体突起、毛様体筋、小帯又はその組み合わせを含むがそれらに制限されない）と、接するか、接触するか、係合するか、機能的に結合するか、あるいは、密接に関連しているように構成される場合がある。遠近調節と非遠近調節との間で毛様体構造に接したままであるように、各力変換アーム１１５の接触部１３５は、外方の支持体１１０の外側にとどまる場合がある。いくつかの実施形態では、接触部１３５は、接触部１３５が関連する眼の領域の湾曲した輪郭と一致できる湾曲した輪郭を有する外面を有する場合がある。いくつかの実施形態では、接触部１３５は、例えば毛様体突起又は小帯の突起との接触及び相互嵌合を改善するために圧入（indentation）、溝、歯、櫛（combs）又は他の表面特徴を有する場合がある。接触部１３５の外面は、上の及び／又は下のエッジで先の尖っている又は面取りされているエッジを有する場合がある。力変換アーム１１５の接触部１３５は、損傷を生じずに、毛様体構造とのそれらの接続を改善する特徴を組み込む場合がある。一般に、接触部１３５は、毛様体構造への穿孔又は外傷が生じることを回避する。いくつかの実施形態では、組織自体に外傷をもたらさずに、動きを伝達する（transfer）ことができるように、接触部１３５は毛様体構造と干渉できる。
【００４５】
接触部１３７は、接触部１３５と結合される場合がある。いくつかの実施形態では、接触部１３７は、接触部１３５の内面と結合された、及び接触部１３５の内面から外に延在する長尺要素である場合がある（例えば、図２Ｂを参照）。力変換アーム１１５の少なくとも一部がチャネル１３２内で変換する（translate）ことができるように、接触部１３７は、チャネル１３２内に位置決めされるように形作る場合がある。接触部１３７は、レンズ体１０５の少なくとも部分（形状変形薄膜１４０の変形可能部１８２）に対して接する場合がある。例えば、毛様体筋１８が遠近調節の間に収縮するとき、毛様体筋１８は光軸の方へ収縮する。力変換アーム１１５がチャネル１３２内で動き、接触部１３７がレンズ体１０５の変形可能部１０７を押圧し、中央部１０３に対して変形可能部１０７の動きを生じさせ、それによって、上述されるように形状変化薄膜１４５の遠近調節型の形状変化を駆動させるように、毛様体構造は接触部１３５の外面と接触する場合がある。
【００４６】
１つ以上の毛様体構造に対する力変換アーム１１５の位置は変化できる。さらに、力変換アーム１１５は、固定長を有するか又は調整可能である場合がある。眼における挿入に先立って、眼における挿入の間に又は眼における挿入の後いつでも、力変換アーム１１５の調節が行なわれる。様々な力変換アームに対して説明される様々な構成要素及び特徴には、本願での様々なデバイスに関して説明される１つ以上の様々な構成要素及び特徴が組み込まれることは認識されるべきである。本願に係るデバイス及びシステムのいずれもが、本願において説明される様々な特徴及び構成要素のいずれかを組み込む場合がある。本願に係るデバイス及びシステムの１つの実施形態の構成要素又は特徴は、本願に係るデバイス及びシステムの別の実施形態の構成要素又は特徴が別法として組み込まれるか又は結合される。様々な組み合わせが本願において考慮されることになっているが、簡潔さのために、それらの組み合わせの各々の明示的な記載は省略されることがある。
【００４７】
図６は、固定長を有する力変換アーム１１５の実施形態を示す。力変換アーム１１５は、１つ以上の毛様体構造（毛様体）と接触するように構成された外側の接触部１３５を有する場合がある。接触部１３５は、長尺要素１３６によって内側の接触部１３７に結合できる。力変換アーム１１５の全長は、一定であり、手術前の測定に基づいて各患者に対して選ばれた適切なサイズである場合がある。
【００４８】
例えば、図７は、移植の前に、移植の間に、又は移植の後いつでも調節できる長さを有する力変換アーム１１５の実施形態を示す。この実施形態では、力変換アーム１１５は、接触部１３５及び接触部１３７を有する。接触部１３５は、接触部１３５の内面から外に延在する第１の長尺要素７３８を有する場合がある。そして、接触部１３７は、接触部１３７の外面から外に延在する第２の長尺要素７３９を有する場合がある。第１の長尺要素７３８と第２の長尺要素７３９との間での機械的な調節インターフェースは、第１の長尺要素７３８及び第２の長尺要素７３９の領域の外面が、第１の長尺要素７３８及び第２の長尺要素７３９の領域の内面での対応するネジと係合するように構成されたネジを有する場合があるネジ係合である場合がある。例えば、第２の長尺要素７３９は、外面上のネジを有し、対応するネジと係合するために第１の長尺要素７３８のチャンバ７３１に挿入するように構成される場合がある。力変換アーム１１５の２つの部分の間でのこのネジ係合は、例えば、患者がテーブルにいる挿入に先立って、眼内へのデバイスの移植の間に、又は眼内へのデバイスの移植後いつでも、最適なサイジングのためになされるオンザフライの調節を可能にする。
【００４９】
第１の長尺要素７３８及び第２の長尺要素７３９は、他の様々な機械的な構成によって互いに係合する場合がある。例えば、図８Ａは、調節できる長さを有する力変換アーム１１５の別の実施形態を示す。この実施形態では、力変換アーム１１５は、接触部１３５及び接触部１３７を有する。接触部１３５は、接触部１３５の内面から外に延在する第１の長尺要素７３８を有する場合がある。そして、接触部１３７は、接触部１３７の外面から外に延在する第２の長尺要素７３９を有する場合がある。力変換アーム１１５の所望の全長が達成されるまで、第１の長尺要素７３８及び第２の長尺要素７３９は互いに隣接して連携する場合ができる。別法として、第１の長尺要素７３８及び第２の長尺要素７３９は、長尺要素の１つが穴を通して反対の長尺要素のチャンバ７３１に挿入するように、互いに同軸で連携する場合がある（図８Ｂを参照）。両方の構成では、第１の長尺要素７３８及び第２の長尺要素７３９の領域は、いったん所望の長さが達成されれば、圧着（crimp）サイト８６１で圧着する（crimp）ことによって機械的に一緒に固定することができる。例えば、眼内へのデバイスの移植に先立って、眼内へのデバイスの移植の間に、又は眼内へのデバイスの移植の後いつでも、この種の調節は行われる。
【００５０】
図９に示されるような別の相互に関連する実施形態では、いったん接触部１３５，１３７の間での所望の長さが達成されれば、第１の長尺要素７３８及び第２の長尺要素７３９は、滑動するカム・メカニズム９６３によって一緒に固定できる。第１の長尺要素７３８は、不規則な形を有する第２の長尺要素７３９の対応する端と接触するように構成される端を有する不規則に形作られた軸を有する場合がある。第１の長尺要素７３８の端が第２の長尺要素の端を越えて通過されるとき、２つの不規則に形作られた軸が互いにロック係合にスナップ留めする。
【００５１】
図１０に示される別の相互に関連する実施形態では、第１の長尺要素７３８及び第２の長尺要素７３９は、ピストン・システムを形成して、互いに係合する場合がある。第１の長尺要素７３８はチャンバ７３１を含む場合がある。そして、第２の長尺要素７３９の端は穴を貫通してチャンバ７３１の中に延在する場合がある。チャンバ７３１は、互いに対して、要素７３８及び７３９の有効長を調節するために圧縮不可能な材料１０９０で所望の体積に満たす場合がある。チャンバ７３１は、力変換アーム１１５の有効長を微調整するために外科手術の間に満たす場合がある。
【００５２】
図１１に示される別の相互に関連する実施形態では、接触領域１３５はフレキシブルなヒンジ・メカニズム１１９２によって領域１３７と接触するために結合する場合がある。いくつかの実施形態では、接触領域１３５は、第１の長尺要素７３８に結合される。そして、接触領域１３７は、第２の長尺要素７３９に結合される。第１の長尺要素７３８は、ヒンジ・メカニズム１１９２を介して第２の長尺要素７３９と嵌合する。接触領域１３５が複数の長尺要素７３８を有し、接触領域１３７が、ヒンジ・メカニズム１１９２によって、各々一緒に結合する複数の長尺要素７３９をそれぞれ有する場合があることは認識されるべきである。フレキシブルなヒンジ・メカニズム１１９２は、手術に先立って、又はその手術の間に調節する場合がある。いくつかの実施形態では、ヒンジ・メカニズム１１９２は、熱／放射線／化学的にもたらされた硬化を介して、適所に固定できる。ヒンジ・メカニズム１１９２は、長尺の力変換アーム７３８及び７３９が外側又は内側に折り重なるように、或る方向に回転するように構成される場合がある。光軸Ａと毛様体構造との間の調節だけでなく前部の方向に及び／又は後部の方向に調節も提供するために、１つ以上の中心軸に沿って１つ以上のヒンジ・メカニズム１１９２が折り重ねることができることは、認識されるべきである。
【００５３】
図１２に示される別の相互に関連する実施形態では、第１の長尺要素７３８及び第２の長尺要素７３９の間の結合は、追加的に又は別法として化学結合を含む場合がある。例えば、第１の長尺要素７３８及び第２の長尺要素７３９は、関連していて、接着剤又は活性化材（熱／放射線で硬化したポリマー又は他の材料）のような化学物質を使用して、化学的に一緒に固定する場合がある。材料は、第１の長尺要素７３８及び第２の長尺要素７３９の間の界面で導入する場合がある。いくつかの実施形態では、第１の長尺要素７３８は、穴を貫通してチャンバ７３１に挿入された第２の長尺要素７３９の外面を材料１０９０が囲むように、材料１０９０で少なくとも部分的に満たされるチャンバ７３１を含む場合がある。いったん所望の長さ調節が達成されれば、材料１０９０は第１の長尺要素７３８及び第２の長尺要素７３９の間の界面を固定するために活性化する（activate）ことができる。測定、調節及び固定がデバイス１００の移植後に行なわれるように、活性化（activation）は、例えば、眼への挿入に先立って又は眼へのデバイスの挿入後にテーブル上で行なう場合がある。
【００５４】
図１３に示される相互に関連する実施形態では、力変換アーム１１５は、材料を含むように構成された内容積１３９６を有する薄膜１３９４である場合がある接触部に長尺要素７３９によって結合された接触部１３７を含む場合がある。材料は、体積及びスペースにおけるオンザフライ（on-the-fly）の調節を可能にする感熱性の接着剤、形状記憶合金、形状記憶ポリマー、硬化性ポリマー、熱／放射線の活性化材料、又は他の材料のようなその場で（in situ）固定できる体積調整可能な材料を含む場合がある。
【００５５】
力変換アーム１１５が外方の支持体１１０及びレンズ体１０５に対して動く必要がないことは認識されるべきである。例えば、力変換アーム１１５は、毛様体構造の動き及び接触で生成された電流を生成するように構成される場合がある。例えば、力変換アーム１１５は、毛様体構造によって印加された機械的応力に応じて電荷を生成する圧電気のシステムを組み込む場合がある。力変換アーム１１５によって生成された電流は、レンズ体１０５での遠近調節を生じさせるために使用される。例えば、接触部１３５の外表面は、電圧を生成する圧電気ディスクを含み、レンズの遠近調節を生じさせる場合がある。
【００５６】
本願で言及されたように、形状変化が順に（in turn）最適化されるように、力変換アーム１１５と毛様体構造との間のカスタマイズされて最適化された接触を達成するために、力変換アーム１１５の全長は、上述されるように、個々の患者に対する移植の前に、個々の患者に対する移植の間に、あるいは個々の患者に対する移植の後に調節して微調整する場合がある。レンズ体１０５において達成された形状変化が、デバイス１００の移植後いつでも調節して微調整できることは認識されるべきである。図１４Ａから図１４Ｂに示されるいくつかの実施形態及び図９に示される実施形態に類似している実施形態では、デバイス１００はカム１４９８を組み込む場合がある。それらが互いに関して揺動するように、カム１４９８は、力変換アーム１１５の接触部１３７とレンズ体１０５の変形可能部１０７との間に位置決めされる。カム１４９８の位置は、レバー又は他の要素（ネジり機構）によって回転によって変更することができる。カム１４９８は、図１４Ａの第１の「弛緩した（relaxed）」位置、及び、図１４Ｂの最大の「アクティブな」位置で示される。
【００５７】
図１５に示される相互に関連する実施形態では、ロッド、詰め木、スペーサー、くさび又は他の調節要素１５０２は、力変換アーム１１５の接触部１３７とレンズ体１０５の変形可能部１０７との間での相対的な接触を調節するために組み込む場合がある。調節要素１５０２は、それがさらに挿入されると、レンズ体１０５の変形可能部１０７上でより大きな圧力を作り出し、より大きな形状変化を作り出すように、外方の支持体１１０にある対応する開口を通して挿入する場合がある。調節要素１５０２は、所望の屈折力調節に達する際に位置へロックする場合がある。調節要素１５０２は、外方の支持体１１０からの調節要素１５０２の除去によって屈折力調節が微調整されるように解放する場合がある。外方の支持体１１０に対する調節要素１５０２の位置は、調節要素１５０２の侵入の深さに応じて様々なオンザフライの量において外方の支持体１１０の方に又は外方の支持体１１０から遠方に調節する場合がある。別法として、それが１つの又は２つの又はそれ以上のプリセットの量で「位置にぴったりと収まる（clicked into position）」ように、調節要素１５０２は階段状のプロフィールを有する場合がある。さらに、調節要素１５０２の１つ以上の部分は、調節後に固定するための感熱接着剤で覆う場合がある。
【００５８】
図１６及び図１７に示される相互に関連する実施形態では、レンズ体１０５に加えられた圧力は、レンズ体１０５の変形可能部１０７に力変換アーム１１５によって印加された圧力とは別々に調節する場合がある。例えば、調整可能な要素１６０２（ネジ、レバー又はロッド）は、レンズ体の中央部１０３近くの形状変形薄膜１４０に対してレンズ体１０５の領域と接触するために外方の支持体１１０を貫通して挿入する場合がある。密閉チャンバ１５５内の光学流体が形状変化薄膜１４５に対してさらに促される（urged）ように、調整可能な要素１６０２は、形状変形薄膜１４０に追加の力を加える場合がある。屈折力調節を達成することができるように調整可能な要素１６０２は印加された圧力を微調整するために調整可能な要素１６０２は漸増的に調整可能である場合がある。このメカニズムは、遠近調節なしでＡＩＯＬにおいて屈折力調節に一般的解決策を提供する場合がある。図１７は、レンズ体１０５のベース屈折力を変更するために元の場所に拡張するか縮小することのできる材料を使用する方法を図示する。この実施形態では、レンズ体１０５に対してネジ又は他の機械的な特徴を挿入するのではなく、形状変化薄膜１４５（あるいは静的な要素１５０）への緊張が調節される。例えば、材料は、熱活性化で気泡を作り出すことができる感熱材料である場合がある。レンズ体での緊張及び体積の変化が、気泡、圧入又は平坦化が材料の活性化の際に形成されるかどうかに応じて生じる場合がある。
【００５９】
図１８は、２つの変形可能部１８２及び中央部１８０を有する形状変形薄膜１４０を示す。変形可能部１８２は、圧縮可能か又は倒状可能であるか又は、光軸Ａへの（そして光軸Ａから離れる）中央部１８０に対して運動させる（undergo movement）ように構成される場合がある。この実施形態では、変形可能部１８２は、略矩形に形作られて、中央部１８０が動き又は変位を受けること無く矢印Ａの方向である形状変形薄膜１４０の側壁１４３の外面から印加された力に応じて変位する又は動く場合がある。クローズドシステムの形状変形薄膜１４０のこの変位は、密閉チャンバ内に含まれた光学流体が形状変化薄膜の内面を押圧すること、及び、形状変化薄膜に結合された形状変化薄膜の外方への湾曲がクローズドシステム内での圧力を一定に維持することに帰着する場合がある。
【００６０】
下記の表１は、変形可能部１８２の変位（各側からの変位）と、生じる形状変化薄膜の外方への湾曲（したがってジオプトリーの変更又は遠近調節）との関係を図示する。レンズ直径（ｍｍ）は、密閉チャンバ内で領域を押圧する光学流体に応じて外方に撓むように構成される形状変化薄膜の領域である。光学流体は、１．３７から１．５７の屈折率を有するシリコーンオイルである場合がある。圧縮可能な部分の長さは、薄膜１４０の変形可能部１８２の長さ（矢印Ｌ）である。そして、圧縮可能な部分の高さ（矢印Ｈ）は、形状変形薄膜１４０の側壁１４３の厚さである（図１８を参照）。個々の圧縮可能な部分（つまり形状変形薄膜１４０の中央部１８０に対する変形可能部１８２、又はレンズ体１０５の観点から中央部１０３に対する変形可能部１０７）からの変位は、圧縮可能な部分の長さＬと、圧縮可能な部分の高さＨと２又はＶ／（Ｌ＊Ｈ＊２）との積で割られた密閉チャンバ１５５の体積Ｖと等しい。撓むレンズの体積は、Ｖ＝πｈ（３ａ２+ｈ２）／６である。
レンズ高さ（ｈ）は、ピタゴラスの方程式（ｒ−ｈ）２＋ａ２＝ｒ２から計算することができる。従って、ｈ＝ｒ―（ｒ２−ａ２）０．５である。
例えば、光学流体の屈折率が１．４であり、レンズの直径が３ｍｍである場合、各変形可能部１８２からの２８ミクロンの動きは、形状変化薄膜に対して光学流体によって加えられた十分な量の圧力を作り出して１Ｄのレンズを形成する。そして、レンズの直径が３ｍｍである場合、各変形可能部１８２の８４ミクロンの動きは形状変化薄膜に対して光学流体によって加えられた十分な量の圧力を作り出して３Ｄのレンズを形成する。
【００６１】
【表１】
2020022762.tif 000003
【００６２】
図１９は、力（ｇｆ）を加えた際の形状変化薄膜の動き（μｍ）でレンズ体において達成された屈折力（Ｄ）を図示する。本願に係るデバイスは、眼内レンズ（ＩＯＬＡ  ＰＬＵＳ、ロトレックス、イスラエル）を評価するための光学台テスト及び較正されたロードセル（アドバンスト・フォース・トルク・インディケーター（ＡＦＴＩ）、メクメシン、英国）を用いて評価され、１００μｍの動き及び１ｇｆの印加で約３Ｄの変化を達成するために示された。
【００６３】
図２０は、眼内に位置決めされたＡＩＯＬ１００の横断面の部分的な斜視図を示す。図２１は、ハプティック１２０が可視であるように虹彩なしで示された眼内に位置決めされたＡＩＯＬ１００の横断面の斜視図である。図２２は、眼内に非遠近調節の状態で位置決めされたＡＩＯＬ１００の横断面の側面図である。図２３は、眼内に遠近調節状態で位置決めされたＡＩＯＬ１００の横断面の側面図である。全体にわたって説明される様々な実施形態と同様に、ＡＩＯＬ１００は、形状変形薄膜１４０、形状変化薄膜１４５及び静的な要素１５０の内面から形成されて密閉チャンバ１５５内に光学流体を含むように構成された密閉チャンバ１５５を有するレンズ体１０５を含む場合がある。レンズ体１０５は、支持体１１０内に位置決めされ、支持体１１０に結合する場合がある。ＡＩＯＬ１００は、力変換アーム１１５及び安定化ハプティック１２０を含む場合がある。ＡＩＯＬ１００が溝１６内でハプティック１２０の相互作用によって安定化且つ固定化されるように、安定化ハプティック１２０は、溝１６（図２４を参照）内で虹彩１４の後方に位置決めされる。安定化ハプティック１２０が水晶体嚢内に位置決めされるように、ＡＩＯＬ１００も移植される。形状変化薄膜１４５の中央部の前面は、支持体１１０の中央の環状領域１２５内に連携され、毛様体筋１８の収縮で、つまり遠近調節の間に、外方に撓むように構成される場合がある。静的な要素１５０が、デバイス１０５の最後部（posterior-most）の側に配置されて嚢切開（capsularhexis）の略外側のままであるように、水晶体嚢２２の受けた嚢切開を有する眼内に移植されたＡＩＯＬ１００が、示される（図２０を参照）。静的な要素１５０は、本願において説明されるように遠用の屈折力を有する（powered for distance）静的なレンズである場合がある。
【００６４】
本願に係るデバイスは、毛様体構造の動き（例えば毛様体及び／又は毛様体筋の動き）に対して直接的に応答して、遠近調節の（又は非遠近調節の）形に作動される。本願に係るデバイスの遠近調節のこの直接の毛様体の変換は、密閉チャンバ内の光学流体の動きを含む場合がある。上述されるように、そして、さらに図２０から図２３に示されるように、力変換アーム１１５が一般にデバイス１０５の中心軸ＣＡから離れて位置決めされる第１の構成（図２２を参照）と、力変換アーム１１５がデバイス１０５の中心軸ＣＡの方に毛様体構造によって促される第２の構成（図２３を参照）とで接触部１３７がチャネル１３２内で位置決めされるように、力変換アーム１１５は、力変換アーム１１５の作動を生じさせるために１つ以上の毛様体構造に直接的に接触する場合がある。力変換アーム１１５が第１の構成（つまり、非遠近調節の形）にあるとき、形状変化薄膜１４５は略平坦である場合がある。そして、力変換アーム１１５が第２の構成（つまり、遠近調節の形）にあるとき、形状変化薄膜１４５が外方に撓む場合がある。レンズ体の変形可能部１０７が圧潰する（collapse）か又はレンズ体１０５の中央部１０３の方へ内側に動くように、これは、形状変形薄膜１４０を押圧する力変換アーム１１５の接触部１３７による場合がある。形状変化薄膜１４５の前面が光軸に沿った外方への湾曲でより球状あるいは凸形状（図２３を参照）になる（take on）まで、変形可能部１０７の圧潰（collapse）により、密閉チャンバ１５５内の光学流体がチャンバ１５５の内側面を押圧する場合がある。
【００６５】
図２５Ａから図２５Ｇは、本願に提供される記載による遠近調節型の眼内レンズ（「ＡＩＯＬ」）２００の相互に関連する実施形態を図示する。本願に係るデバイスの特徴及び構成要素が、相互に関連して、組み合わせで又は代案で使用されることは認識されるべきである。それらの前の記載が次の実施形態に当てはまらないことを意味すると解釈されるべきでないが、簡潔さのために、本願に係るデバイスの様々な実施形態の構成要素に関する記載のうちのいくつかは反復されない。
【００６６】
ＡＩＯＬ２００は、レンズ体２０５、支持体２１０、力変換アーム２１５及び１つ以上の安定化ハプティック２２０を含む場合がある。支持体２１０は、内側の及び／又は外方の支持体２１０を含むことができる。いくつかの実施形態では、支持体２１０は、レンズ体２０５の中央部が連携されている中央の環状領域を有する外方の支持体２１０である。支持体２１０は、周辺の側壁を通して、中央の環状領域へ延在するチャネル２３２又はスロットを含む場合がある（図２５Ｆに最もよく示されている）。力変換アーム２１５は、支持体２１０の１方側でチャネル２３２を通して延在する場合がある。そして、第２の力変換アーム２１５は、支持体２１０の対向側でチャネル２３２を通して延在する場合がある。力変換アーム２１５の各々は、毛様体構造の少なくとも一部と接触するように構成された外側の接触部２３５と、レンズ体２０５の少なくとも一部と接触するように構成された内側の接触部２３７とを含む場合がある。接触部２３５が遠近調節と非遠近調節との間で毛様体構造に対して接触し続けることができるように、それぞれの力変換アーム２１５の接触部２３５は、支持体２１０の外側にとどまる場合がある。それぞれの力変換アーム２１５の接触部２３７は、チャネル２３２内で変換する場合がある。以下に詳細に説明されるように、毛様体構造が、レンズ体２０５の調節性の形状変化をもたらすために動くとき、力変換アーム２１５はチャネル２３２内で自由に前後に動く場合がある。
【００６７】
前の実施形態と同様に、支持体２１０は、シリコーン、ポリウレタン、ＰＭＭＡ、ＰＶＤＦ、ＰＤＭＳ、ポリアミド、ポリプロピレン、ポリカーボネートなどあるいはそれらの組み合わせを含むがそれらに限定されない剛体のポリマーから形成される。支持体２１０は、チャネル２３２による力変換アーム２１５の動きによって生じた歪みを防ぐように構成される場合がある。支持体２１０は、図２５Ａから図２５Ｇに示されるように、密閉カプセル２５５の外側に位置した外方の支持体である場合がある。又は、以下により詳細に説明されるように、支持体２１０は、図２６Ａから図２６Ｆ及び図２７Ａから図２７Ｄに示されるように、密閉カプセル２５５の内側に位置する場合がある。いくつかの実施形態では、１つ以上の安定化ハプティック２２０は、外方の支持体２１０に接合される場合がある。他の実施形態では、１つ以上の安定化ハプティック２２０は、レンズ体２０５とレンズ体２０５の密閉チャンバ内にある支持体２１０との一部に接合される場合がある。他の実施形態では、１つ以上の安定化ハプティック２２０は、レンズ体２０５又は外方の支持体２１０の一部として成型される場合がある。安定化ハプティック２２０は、上記に詳細に説明されるように、デバイスの光学部品の連携を維持し、かつ、いったん移植されて調節性の形状変化を受けるデバイスの動きに抗するように構成された静的なハプティック（haptics）である場合がある。いくつかの実施形態では、ハプティック２２０は、毛様体の溝又は水晶体嚢に配置される場合がある。
【００６８】
レンズ体２０５は、形状変形薄膜２４０、形状変化薄膜２４５及び静的な要素２５０（静的なレンズを含む）を含む場合がある。形状変形薄膜２４０、形状変化薄膜２４５及び支持体２１０と結合した静的な要素２５０は、光学流体をそこに含むように構成される略平坦の密閉チャンバ２５５を作り出す。形状変形薄膜２４０は、略リング形の支持体２１０の内面に結合されたリング形の薄膜である場合がある。形状変化薄膜２４５の領域は、支持体２１０の第１表面に結合する場合がある。そして、静的な要素２５０の領域は、支持体２１０の第２の反対表面に結合する場合がある。形状変化薄膜２４５が眼解剖学的構造に対して前方に位置決めされ、及び静的な要素２５０を眼解剖学的構造に対して後方に位置決めされるように、ＡＩＯＬ２００内及び眼内でのレンズ体２０５の方向が変わることができることは認識されるべきである。同様に、形状変化薄膜２４５が眼解剖学的構造に対して後方に位置決めされて、静的な要素２５０が眼解剖学的構造に対して前方に位置決めされる場合がある。
【００６９】
静的な要素２５０は、図２５Ｂ及び２５Ｃに最もよく示される。静的な要素２５０は、他の実施形態において上述されるような、シリコーン、ウレタン又は低弾性率のエラストマーから形成された静的なレンズを含む場合がある。形状変化薄膜２４５は、光学的に清澄な低弾性率のエラストマー（シリコーン）から形成されたフレキシブルな光学部品（optic）である場合がある。上で詳細に説明されるように増加した内部圧力により相対的に撓みやすい減肉厚部を形状変化薄膜２４５が有するように、形状変化薄膜２４５が平面要素又は可変厚さであるように、形状変化薄膜２４５は一定の厚さを有する場合がある。本願において説明されるように、形状変化薄膜２４５の構造が変化できることは認識されるべきである。減肉厚部は、外面（例えば前面）の外方への湾曲を生じさせる密閉チャンバ２５５内の光学流体によって加えられた増加した内部圧力により撓む（give way）ように構成する場合がある。
【００７０】
次に、図２５Ｆ及び２５Ｇを参照する。支持体２１０は、力変換アーム２１５の接触部２３７が形状変形薄膜２４０にアクセスできるチャネル２３２を含む場合がある。例えば、遠近調節の間に、力変換アーム２１５は、１つ以上の毛様体構造によって光軸Ａの方に促される場合がある。毛様体構造の内側／前部の動きは、力変換アーム２１５を光軸Ａの方へチャネル２３２を通して内側に動かす接触部２３５によって利用される。力変換アーム２１５の接触部２３７は、形状変形薄膜２４０と接触して、形状変形薄膜２４０を形状変化薄膜２４５に対して運動させる場合がある。この動きは、圧縮、圧入、引き伸ばし、変形、又は大略光軸Ａに向けての他のタイプの動きである場合がある。形状変形薄膜２４０のこの動きは、光学ゾーン２０１でのより球状又は凸形状への形状変化薄膜２４５の撓みを生じさせ、それによって、以下に詳細に説明されるようにストレスを課すこと無く又は光学ゾーン上で押し潰すこと無く近見合焦のためのレンズの屈折力を増大させる場合がある。
【００７１】
上述のように、レンズ体２０５の密閉チャンバ２５５は、清澄で生体適合性の光学流体である光学流体で満たされる。光学流体は、可視スペクトルにおいて清澄で透明な非圧縮性の液体又はゲルである場合がある。当該液体又はゲルは、例えば、シリコーン流体及びゲル、官能化シリコーン流体及びゲル（例えばハロゲン（つまりフッ化シリコーン、芳香薬（つまりフェニル基を含む官能化シリコーンなど）））、炭化水素及び官能化炭化水素（長連鎖炭化水素）、ハロゲン化炭化水素、フッ化及び部分的なフッ化炭化水素、水のシステム、流体とゲルの両方である。その屈折率（ＲＩ）が、水溶性の又は水膨潤性のポリマー、バイオポリマー膨潤性の添加物（セルローズ）、及び屈折率を増加させるためにナノストラクチャーを形成する有機又は無機の添加物の添加により増大する。いくつかの実施形態では、密閉チャンバ２５５内の光学流体は、１．３７よりも大きな屈折率を有する。他の実施形態では、密閉チャンバ２５５内の光学流体は、１．３７から１．５７の屈折率を有する。他の実施形態では、密閉チャンバ２５５内の光学流体は、１．３７から１．６０の屈折率を有する。
【００７２】
密閉チャンバ２５５内の光学流体は、形状変形薄膜２４０の動きで形状変化薄膜２４５の撓みを生じさせる場合がある。形状変形薄膜２４０の内方への動きは、一定体積の密閉チャンバ２５５内に含まれる非圧縮性の光学流体が、形状変化薄膜２４５の内面を含む密閉チャンバ２５５の表面を押圧することに帰着する場合がある。形状変化薄膜２４５が力の印加で外方に撓むように構成された中央部の近くの領域を有するので、形状変化薄膜２４５の内壁に対する光学流体の圧力は、外方への湾曲と、形状変化薄膜２４５の外面の変形とに帰着する。図２５Ｄと図２５Ｅとは、それぞれ、弛緩して遠近調節されていない（非遠近調節）状態と、作動して遠近調節された状態とにあるデバイスの部分断面図である。光軸Ａの内にあるいは光軸Ａと平行に囲繞する光学ゾーン部分は、ＡＩＯＬ２００の屈折力を高めるさらなる凸面形状になる。本願において説明されるように、レンズ体２０５の或る部分から別の部分まで流体が実際に流れることなく、形状変化薄膜２４５のこの形状変化が生じる場合があることは認識されるべきである。もっと正確に言えば、対応する一定体積の非圧縮性の光学流体で満たされた一定体積を有する密閉チャンバ２５５の或る領域の圧縮は、形状変化薄膜２４５によって形成された密閉チャンバ２５５の別領域の反作用の形状変化に至らせる（drive）。
【００７３】
ＡＩＯＬ２００は、支持体２１０にチャネル２３２を通して延在するように構成された力変換アーム２１５を含む場合がある。上述されるように、力変換アーム２１５は、一側のチャネル２３２を通して延在する場合がある。そして、第２の力変換アーム２１５は反対側のチャネル２３２を通して延在する場合がある。しかしながら、本願に係るデバイスが２つ以上の力変換アーム２１５を含む場合があることは認識されるべきである。例えば、本願に係るデバイスは、デバイスを中心にして均等に配置された３つの、４つの又はそれ以上の力変換アーム２１５を含む場合がある。いくつかの実施形態では、力変換アーム２１５は、剛体であるポリマー（シリコーン、ポリウレタン、ＰＭＭＡ、ＰＶＤＦ、ＰＤＭＳ、ポリアミド、ポリプロピレン、ポリカーボネートなど又はその組み合わせ）である場合がある。例えば、力変換アーム２１５は、第２の材料（ＰＭＭＡ）で強化された第１の材料からなる要素である場合がある。
【００７４】
いくつかの実施形態では、力変換アーム２１５の各々は、本願において説明されるような様々な形のいずれかを有する、外方の接触部２３５と内方の接触部２３７とを含む場合がある。接触部２３５は、遠近調節と非遠近調節との間で光学部品の形状変化に至らせるために毛様体、毛様体突起、毛様体筋、小帯又はその組み合わせを含むがそれらに限定されない、１つ以上の毛様体構造に対して、接するか、接触するか、係合するか、機能的に結合するかあるいは密接に関連しているように構成される場合がある。接触部２３５が遠近調節と非遠近調節との間で毛様体構造に対して接触を続けることができるように、それぞれの力変換アーム２１５の接触部２３５は、支持体２１０の外側にとどまることができる。いくつかの実施形態では、接触部２３５は、接触部２３５が関連する（associate）眼の領域の湾曲した輪郭と一致できる、湾曲した輪郭を有する外面を有する場合がある。いくつかの実施形態では、接触部２３５は、例えば毛様体突起又は小帯の突起との接触及び相互嵌合を改善するために、圧入、溝、歯、櫛又は他の表面特徴を有する場合がある。接触部２３５の外面は、上の及び／又は下のエッジで先の尖っているか又は面取りされているエッジを有する場合がある。
【００７５】
接触部２３７は、接触部２３５に結合される場合がある。いくつかの実施形態では、接触部２３７は、接触部２３５の内面に結合された及び／又は接触部２３５の内面から外に延在する長尺要素である場合がある（例えば、図２５Ｄ及び図２５Ｅを参照）。接触部２３７は、力変換アーム２１５の少なくとも一部がチャネル２３２内で変換できるように、チャネル２３２内に位置決めされるように形作られる場合がある。接触部２３７は上述されるように形状変形薄膜２４０に対して接する場合がある。例えば、毛様体筋１８が遠近調節の間に収縮するとき、毛様体筋１８は光軸Ａの方へ収縮する。力変換アーム２１５がチャネル２３２内で動き、接触部２３７が、レンズ体２０５の形状変形薄膜２４０を押圧し、接触部２３７が、形状変化薄膜２４５に対する形状変形薄膜２４０の動きを生じさせ、それによって、上述のように形状変化薄膜２４５の遠近調節の形状変化に至らせるように、毛様体構造は、接触部２３５の外面と接触する場合がある。形状変形薄膜２４０は、レンズ体の光学ゾーンの内側又は外側に位置する場合がある。
【００７６】
図２６Ａから図２６Ｆは、以下に詳細に説明される内方の支持体３１２を有する遠近調節型の眼内レンズ（「ＡＩＯＬ」）３００の相互に関連する実施形態を図示する。本願に係るデバイスの特徴及び構成要素が、相互に関連して、組み合わせ又は代案で使用されることは認識されるべきである。それらの前の記載が次の実施形態に当てはまらないことを意味すると解釈されるべきでないが、簡潔さのために、本願に係るデバイスの様々な実施形態の構成要素に関する記載のうちのいくつかは反復されない。
【００７７】
ＡＩＯＬ３００は、レンズ体３０５、支持体３１０及び力変換アーム３１５を含む場合がある。支持体３１０は、内方の及び／又は外方の支持体３１０を含む場合がある。いくつかの実施形態では、ＡＩＯＬ３００は、付加的な外方の支持体なしでレンズを支持するのに十分な内方の支持体だけを有する。レンズ体３０５は、支持体３１０の中央部内に位置決めされ、支持体３１０の中央部に結合される場合がある。レンズ体３０５の前面は、支持体３１０の前部の開口を通して露出する場合がある。そして、レンズ体３０５の後面は、支持体３１０の後部の開口を通して露出する場合がある。ＡＩＯＬ３００内及び眼内のレンズ体３０５の構成要素の方向が変化でき、「前部の」及び「後部の」という用語の使用は、限定することを意図していないことは認識されるべきである。
【００７８】
支持体３１０は、力変換アーム３１５が延在できる側壁にチャネル３３２又はスロットを含む場合がある。毛様体構造がレンズ体３０５の調節性の形状変化をもたらすために動くとき、力変換アーム３１５はチャネル３３２内で自由に前後に動くことができる。例えば、第１の力変換アーム３１５は、支持体３１０の一側で第１のチャネル３３２を通して延在する場合がある。そして、第２の力変換アーム３１５は、支持体３１０の反対側で第２のチャネル３３２を通して延在する場合がある。力変換アーム３１５の各々は、毛様体構造の少なくとも一部と接触するように構成された外側の接触部３３５と、チャネル３３２内で変換されてレンズ体３０５と接触するように構成された内側の接触部３３７とを含む場合がある。接触部３３５が遠近調節と非遠近調節との間で毛様体構造に対して接触を続けることができるように、それぞれの力変換アーム３１５の接触部３３５が支持体３１０の外側にとどまる場合がある。
【００７９】
支持体３１０は、力変換アーム３１５の不用意な動き（例えば、力変換アーム３１５の内側／外側の動きに直交する方向）を防ぐとともに力変換アーム３１５の動きによって生じた歪みを防ぐように構成された材料から形成される場合がある。いくつかの実施形態では、１つ以上の安定化ハプティック３２０が、支持体３１０に接合される場合がある。他の実施形態では、１つ以上の安定化ハプティック３２０は、レンズ体３０５及びレンズ体３０５の密閉チャンバ内にある支持体３１０の一部に接合される場合がある。他の実施形態では、１つ以上の安定化ハプティック３２０は、レンズ体３０５又は外方の支持体３１０の一部として成型される場合がある。安定化ハプティック３２０は、デバイスの光学部品の連携を維持して、かつ、いったん移植され、上で詳細に説明されるように調節性の形状変化を受けているＡＩＯＬ３００の動き（例えば垂直の動き）に抗するように構成された静的なハプティックである場合がある。いくつかの実施形態では、１つ以上のハプティック３２０は毛様体の溝及び／又は水晶体嚢に配置される場合がある。
【００８０】
レンズ体３０５は、形状変形薄膜３４０と、形状変化薄膜３４５と、密閉チャンバ３５５を有する略平坦のレンズ体３０５に一緒に密閉された静的な要素３５０（あるいは静的なレンズ）とを含む場合がある。密閉チャンバ３５５は、その中に光学流体（例えばフルオロシリコーンオイル、本願において説明される他の光学流体）を含むように構成される。形状変形薄膜３４０は、形状変化薄膜３４５の周囲に又は形状変化薄膜３４５の直径を規定する前方の支持体に対して第１表面（例えば前面）で結合されたリング形のシリコーン構造（例えばＰＤＭＳ）である場合がある。形状変形薄膜３４０は、静的な要素３５０の周囲に対して反対の表面（例えば後面）で結合される場合がある。支持体３１０と同様にそれら自身の間での様々な構成のいずれにおいてもレンズ体の構成要素が結合されることは認識されるべきである。形状変形薄膜３４０の外壁は、力変換アーム３１５が動くとき、領域が同様に動くように、力変換アーム３１５と係合するように構成された領域を有する場合がある。形状変形薄膜３４０の動きは、以下に詳細に説明されるように遠近調節及び非遠近調節を生じさせる密閉チャンバ３５５の形状を変化させる。いくつかの実施形態では、形状変形薄膜３４０は、第１の力変換アーム３１５と係合する外壁上の第１の領域と、第２の力変換アーム３１５と係合する外壁上の第２の領域とを有する場合がある。形状変形薄膜３４０の外壁上にある第１の領域及び第２の領域の各々は、力変換アーム３１５上にある対応する特徴３３８と係合するように構成された表面特徴３４１を含む場合がある（図２６Ｃに最もよく示されている）。
【００８１】
支持体３１０は、デバイスの可動部の不用意な動きを防ぐために、形状変形薄膜３４０よりも硬質の材料（あるいは複数の材料）から形成される場合がある。ＡＩＯＬ３００は、別法として又は追加的に、レンズ体３０５の密閉チャンバ３５５内に配置された１つ以上のリブ又は内方の支持体３１２を含む場合がある。内方の支持体３１２は、ＡＩＯＬ３００の可動部が動いている間に光学歪みからレンズの光学部品を機械的に分離するために働く場合がある。いくつかの実施形態では、１つ以上の内方の支持体３１２は、前後の支持体を接続する。いくつかの実施形態では、内方の支持体３１２の第１表面は、形状変化薄膜３４５の周辺領域（図２６Ｂ及び図２６Ｃに最もよく示されている）又は形状変化薄膜３４５の直径を規定する前方の支持体に結合される場合がある。いくつかの実施形態では、内方の支持体３１２は、形状変化薄膜３４５の周辺領域に対して第１表面で結合され、静的な要素３５０の周辺領域に対して第２の反対表面で結合されるように、内方の支持体３１２は静的な要素３５０（あるいは静的なレンズ）に追加的に結合される（図２７Ａから図２７Ｄを参照）。いずれかの実施形態（つまり、前後の表面の１方又は両方に結合される）では、内方の支持体３１２は、光学流体が含まれる変形可能領域３０７及び中央部３０３に密閉チャンバ３５５を分割するように、内方の支持体３１２の少なくとも一部は、形状変形薄膜３４０から離間している。内方の支持体３１２がちょうど形状変化薄膜３４５に結合される場合、チャネル３４２は、密閉チャンバ３５５の変形可能領域３０７と中央部３０３との間での流体連通を可能にする内方の支持体３１２の下に延在する場合がある（図２６Ｂに最もよく示されている）。内方の支持体３１２が形状変化薄膜３４５及び静的な要素３５０の両方に結合される場合、密閉チャンバ３５５の変形可能領域３０７と中央部３０３との間での流体連通を可能にするために、１つ以上のチャネル３４２は、内方の支持体３１２それ自体を通して延在する場合がある（図２７Ｂに最もよく示されている）。１つ以上のチャネル３４２は、外壁の領域から内方の支持体３１２の内壁の領域を貫通して延在する円筒穴を含む場合がある。チャネル３４２が様々な形及びサイズのいずれかを有する場合があることは認識されるべきである。別法として、複数の内方の支持体３１２は、密閉チャンバの変形可能領域３０７と中央部３０３との間での密閉チャンバ３５５内の流体連通のためのそれらの間の１つ以上のチャネル３４２を形成する、互いから離間した密閉チャンバ３５５内に含まれる場合がある。本願において説明されるＡＩＯＬは、密閉チャンバ３５５内で１つの、２つの、３つの、４つの又は５つ以上の内方の支持体３１２を組み込む場合がある。
【００８２】
遠近調節の間に、毛様体構造の内方／前方の動きは、力変換アーム３１５を光軸Ａに向けて内側に動かす力変換アーム３１５の接触部３３５によって利用される場合がある。力変換アーム３１５の内方への動きは、形状変形薄膜３４０が、例えば光軸に向けて、形状変化薄膜３４５に対する動き又は変形を行うように促す。光軸への形状変形薄膜３４０の変形可能領域３０７の内方への動き、圧潰、圧縮又は変形により、一定体積の密閉チャンバ３５５内に含まれた非圧縮性の光学流体が、形状変化薄膜３４５の内面を含む密閉チャンバ３５５の表面を押圧する。形状変化薄膜３４５は、力の印加で外方に撓むか又は屈曲して光学ゾーンでのより球状又は凸形状になるように構成された光軸を囲繞し、それによってストレスを課さずに光学ゾーンでの押し潰し（squeezing）無しで近見合焦用のレンズの屈折力を増大させる領域を有する場合がある。形状変化薄膜３４５に対する光学流体の圧力は、外面を作り変える。レンズ体３０５の或る部分から別の部分への流体の流れ無しでこの形状変化が生じる場合があることは認識されるべきである。もっと正確に言えば、非圧縮性の光学流体で満たされた一定体積の密閉チャンバ３５５（及び変形可能領域３０７）の圧縮は、薄膜３４５の形状変化に至らせる。形状変形薄膜３４０（及び変形可能領域３０７）の変形が、光学ゾーン内部で生じるように、密閉チャンバ３５５の変形可能領域３０７及び中央部３０３は、両方とも光学ゾーン内にある場合がある。別法として、形状変形薄膜３４０（及び変形可能領域３０７）の変形が、光学ゾーンの外側で生じるように、変形可能領域３０７は光学ゾーンの外側に位置する場合がある。
【００８３】
支持体３１２が形状変形薄膜３４０のようなレンズの可動部と接触しないように、内方の支持体３１２は先細りの形状を有する場合がある。例えば、図２６Ｃに示されるように、支持体３１２は、支持体３１２が形状変化薄膜３４５と結合する場所の近くでより大きな寸法と、形状変形薄膜３４０が遠近調節の間に最大限に変形する場所の近くで支持体３１２がより小さな寸法を有するように、形状変化薄膜３４５から離れて先細りになる外壁を有する場合がある。図２７Ｄに示されるような別の実施例では、支持体３１２が形状変化薄膜３４５及び静的な要素３５０とそれぞれ結合するところで、支持体３１２は、ＡＩＯＬ３００の前側端及び後側端の両方で、中心領域の方へ先細りになるより大きな寸法を有する場合がある。この実施形態では、支持体３１２は先細りのスプール形状を形成する。
【００８４】
本願に係るデバイスの構成要素の寸法は変化できる。デバイスは約４ｍｍ未満である切開を通じて移植されるように構成される場合がある。いくつかの実施形態では、デバイスの全体直径は、変化できるが、およそ８ｍｍである。例えば、フレキシブルであるか折り曲げられる安定化ハプティックを有するデバイスは、安定化ハプティックの展開又は拡張に従って移植後にそれが達成する直径よりも小さな第１の直径を移植の間に有する場合がある。いくつかの実施形態では、外方の支持体がデバイスの移植の間に湾曲できるように、外方の支持体は可撓性材料から形成される場合がある。いくつかの実施形態では、レンズ体の中央の光学ゾーン部分は、約２．５ｍｍ、約３．０ｍｍ、約３．５ｍｍ、約４．０ｍｍ、約４．５ｍｍ、約５．０ｍｍ、約５．５ｍｍ、約６．０ｍｍ、約６．５ｍｍ以上の直径である直径を有する場合がある。いくつかの実施形態では、遠近調節型の直径、あるいは形状変化を受ける中央の光学ゾーンの領域は、３．０ｍｍ以上である。
【００８５】
上述されるように、レンズ体の変形可能領域は、形状変化薄膜への力の印加度合いでレンズ体の中央部に対して動くか又は圧潰する（collapse）場合がある。遠近調節をもたらすためにレンズ体の形状変化薄膜の動きを達成するために印加される力は、約０．１グラムの力（ｇｆ）くらいである場合がある。いくつかの実施形態では、印加される力が、約０．１ｇｆから約５．０ｇｆの間、約０．５ｇｆから約１．５ｇｆの間、又は約１．０ｇｆから約１．５ｇｆの間である場合がある。遠近調節を達成するために印加される力に応じた、レンズ体の中央部に対するレンズ体の変形可能領域の動きは、約５０μｍくらいである場合がある。印加された力に応じた、レンズ体の中央部に対するレンズ体の変形可能領域（すなわち、例えば、中央部１０３に対する領域１０７、又は、形状変形薄膜１４０の中央部１８０に対する形状変形薄膜１４０の変形可能部１８２）の動きは、約５０μｍから約５００μｍの間に、約５０μｍから約１５０μｍの間に、あるいは約１００μｍから約１５０μｍの間にある場合がある。印加される力のこれらの範囲、及び動きのこれらの範囲の結果は、３Ｄよりも大きなダイナミックレンジ内にある遠近調節の能力を持った本願に係るデバイスを提供する場合がある。いくつかの実施形態では、屈折力が約１００μｍから約１５０μｍの動きに対して４Ｄから６Ｄの間にある。本願に係るデバイスは、形状変化薄膜の約１００μｍの動きと、形状変化薄膜に印加された少なくとも０．１ｇｆの力に対して少なくとも３Ｄである遠近調節範囲を有する場合がある。他の実施形態では、デバイスは、約５０μｍの動き及び少なくとも約１．０ｇｆの力に対して少なくとも３Ｄである遠近調節範囲を有する場合がある。
【００８６】
本願に開示したデバイスの様々な構成要素の調製の適切な材料又は材料の組み合わせが提供される。他の適切な材料が考えられることは認識されるべきである。米国特許公開第２００９／０２３４４４９号明細書、米国特許公開第２００９／０２９２３５５号明細書及び米国特許公開第２０１２／０２５３４５９号明細書（参照によって各々の全体が本願に組み込まれる）は、本願に係るデバイス用のある構成要素を形成するのに適している他の材料のさらなる実施例を提供する。
【００８７】
本願において説明される様々なデバイスは、当該技術において既知である様々な外科的方法によって移植される。デバイスの特徴及び構成要素を応じて、デバイスは様々な技術を使用して又は様々な道具を使用して移植される。本願に係るデバイスは、単独で使用される、又は別の眼内レンズ又は患者の自然レンズと結合して使用される。本願において説明されるように、力変換アーム及び／又は安定化ハプティックの相対位置とともにレンズ体の屈折力は、移植に先立って、移植の間に、又は移植後いつでも、調節及び／又は微調整する場合がある。本願に係るデバイスが小さな切開（高々３．５ｍｍである切開）を通じて挿入される場合があることはさらに認識されるべきである。例えばカプセルの前方に及び虹彩の後方に、デバイスが水晶体嚢の外側に位置決めされるように、本願に係るデバイスが移植される場合がある。本願に係るデバイスは、レンズ体の中央部が眼の光軸と連携されるように移植される。力変換アームは、１つ以上の毛様体構造（毛様体又は毛様体筋）に対して位置決めされる場合がある。毛様体構造が、安静時で（resting）遠近調節ではない状態（非遠近調節）にあるときにレンズ体の変形可能領域を含むレンズ体の圧縮を生じさせること無く、力変換アームが毛様体構造と接する（又は接すること無く毛様体構造に非常に密接に関連する）ように、力変換アームは位置決めされる場合がある。しかしながら、毛様体筋の収縮でレンズ体が遠近調節を受けて、毛様体筋の弛緩でレンズ体が非遠近調節を受けて、レンズ体の材料が急速にそれらの安静状態に戻るように、力変換アームは、毛様体構造に対して十分近くに位置決めされる場合がある。力変換アームの相対位置及び長さは、本願において説明される調節のための１つ以上の様々な特徴を使用して、上述された様々な方法によって調節される場合がある。眼内でデバイスをさらに安定させるために、安定化ハプティックは毛様体の溝（あるいは他の領域）内に位置決めされる場合がある。レンズ体の安静時の屈折力（resting power）は、本願において説明される様々な方法及び本願において説明される屈折力調節のための１つ以上の様々な特徴の使用によってさらなる調節及び微調整をさらに受ける場合がある。
【００８８】
この明細書が多くの詳細を含んでいるが、これらは、クレームされるもの又はクレームされるかもしれないものの範囲に対する制限として解釈されるのではなく、具体的な実施形態に特有の特徴の記載として解釈されるべきである。別個の実施形態に関連してこの明細書において説明される或る特徴は、単一の実施形態での組み合わせにおいて実施される場合がある。反対に、単一の実施形態に関連して説明される様々な特徴は、多数の実施形態において別々に又はあらゆる適切なサブコンビネーションにおいて実施される場合がある。さらに、或る組み合わせにおいて、及び初めにそういうものとしてクレームされてものにおいて働くような特徴は上述されているが、クレームされた組み合わせからの１つ以上の特徴は、ある場合には組み合わせから削除される場合がある。そして、クレームされた組み合わせは、サブコンビネーション又はサブコンビネーションの変形に関する場合がある。同様に、オペレーションが特別の順に図面に図示されているが、これは、望ましい結果を達成するために、示された特別の順又は連続する順で当該オペレーションが行なわれるか、図示したオペレーションのすべてが行なわれることを要求するものであるとして理解されるべきではない。ほんのいくつかの実施例及び実施形態が開示される。説明される実施例及び実施形態、及び他の実施形態に対する変形例、変更例及び拡張（enhancement）は、開示されたものに基づいてなされることがある。
【００８９】
上記の記載及びクレームにおいて、「少なくとも１つの」又は「１つ以上の」のような言い回しが生じることに続いて、要素又は特徴の接続する（conjunctive）リストがあることがある。用語「及び／又は」は、２つ以上の要素又は特徴のリストに生じることがある。それが使用される文脈によって黙示的に又は明示的に矛盾していなければ、言い回しは、リストされた要素又は特徴のいずれかを個々に意味するか、あるいは詳述された要素又は特徴のいずれかと別の詳述された要素又は特徴のいずれかとを組み合わせたものを意味することを意図している。例えば、「Ａ及びＢの少なくとも１つ」、「１つ以上のＡ及びＢ」、「Ａ及び／又はＢ」という言い回しは、各々、「Ａ単独、Ｂ単独、又は、Ａ及びＢ」を意味することを意図している。同様の解釈は、３つ以上のアイテムを含むリストを対象にしている（intended for）。例えば、「Ａ、Ｂ及びＣの少なくとも１つ」、「１つ以上のＡ、Ｂ及びＣ」、及び、「Ａ、Ｂ及び／又はＣ」という言い回しは、各々、「Ａ単独、Ｂ単独、Ｃ単独、Ａ及びＢ、Ａ及びＣ、Ｂ及びＣ、又は、Ａ及びＢ及びＣ」を意味することを意図している。
【００９０】
上記において及びクレームにおいて、「に基づいて」という用語の使用は、詳述されていない特徴又は要素が許容可能であるように、「少なくとも部分的に基づいて」を意味することを意図している。
【００９１】
優先権書類の相互参照
この出願は、２０１４年３月２８日に出願された同時係属の米国仮出願第６１／９７２，１８３号及び２０１４年４月９日に出願された同時係属の米国仮出願第６１／９７７，５６８号の優先権の利益を要求する。それらの完全開示が、参照によって本願にそれら全体が組み込まれる。
【図１Ａ】
2020022762.tif 000004
【図１Ｂ】
2020022762.tif 000005
【図１Ｃ】
2020022762.tif 000006
【図２Ａ】
2020022762.tif 000007
【図２Ｂ】
2020022762.tif 000008
【図２Ｃ】
2020022762.tif 000009
【図２Ｄ】
2020022762.tif 000010
【図２Ｅ】
2020022762.tif 000011
【図２Ｆ】
2020022762.tif 000012
【図２Ｇ】
2020022762.tif 000013
【図２Ｈ】
2020022762.tif 000014
【図３Ａ】
2020022762.tif 000015
【図３Ｂ】
2020022762.tif 000016
【図３Ｃ】
2020022762.tif 000017
【図３Ｄ】
2020022762.tif 000018
【図３Ｅ】
2020022762.tif 000019
【図３Ｆ】
2020022762.tif 000020
【図４Ａ】
2020022762.tif 000021
【図４Ｂ】
2020022762.tif 000022
【図４Ｃ】
2020022762.tif 000023
【図４Ｄ】
2020022762.tif 000024
【図４Ｅ】
2020022762.tif 000025
【図５Ａ】
2020022762.tif 000026
【図５Ｂ】
2020022762.tif 000027
【図５Ｃ】
2020022762.tif 000028
【図５Ｄ】
2020022762.tif 000029
【図５Ｅ】
2020022762.tif 000030
【図５Ｆ】
2020022762.tif 000031
【図５Ｇ】
2020022762.tif 000032
【図５Ｈ】
2020022762.tif 000033
【図５Ｉ】
2020022762.tif 000034
【図５Ｊ】
2020022762.tif 000035
【図６】
2020022762.tif 000036
【図７】
2020022762.tif 000037
【図８Ａ】
2020022762.tif 000038
【図８Ｂ】
2020022762.tif 000039
【図９】
2020022762.tif 000040
【図１０】
2020022762.tif 000041
【図１１】
2020022762.tif 000042
【図１２】
2020022762.tif 000043
【図１３】
2020022762.tif 000044
【図１４Ａ】
2020022762.tif 000045
【図１４Ｂ】
2020022762.tif 000046
【図１５】
2020022762.tif 000047
【図１６】
2020022762.tif 000048
【図１７】
2020022762.tif 000049
【図１８】
2020022762.tif 000050
【図１９】
2020022762.tif 000051
【図２０】
2020022762.tif 000052
【図２１】
2020022762.tif 000053
【図２２】
2020022762.tif 000054
【図２３】
2020022762.tif 000055
【図２４】
2020022762.tif 000056
【図２５Ａ】
2020022762.tif 000057
【図２５Ｂ】
2020022762.tif 000058
【図２５Ｃ】
2020022762.tif 000059
【図２５Ｄ】
2020022762.tif 000060
【図２５Ｅ】
2020022762.tif 000061
【図２５Ｆ】
2020022762.tif 000062
【図２５Ｇ】
2020022762.tif 000063
【図２６Ａ】
2020022762.tif 000064
【図２６Ｂ】
2020022762.tif 000065
【図２６Ｃ】
2020022762.tif 000066
【図２６Ｄ】
2020022762.tif 000067
【図２６Ｅ】
2020022762.tif 000068
【図２６Ｆ】
2020022762.tif 000069
【図２７Ａ】
2020022762.tif 000070
【図２７Ｂ】
2020022762.tif 000071
【図２７Ｃ】
2020022762.tif 000072
【図２７Ｄ】
2020022762.tif 000073
【手続補正書】
【提出日】令和1年10月16日(2019.10.16)
【手続補正１】
【補正対象書類名】特許請求の範囲
【補正対象項目名】全文
【補正方法】変更
【補正の内容】
【特許請求の範囲】
【請求項１】
ある体積の光学流体を含む密閉チャンバを有する光学レンズ体を備え、
該レンズ体は、
中央面の径を形成する前方の支持体を有する前部レンズ要素と、
前記前方の支持体の周辺領域の近傍で円弧に沿って延びる形状変形薄膜と、
前記前部レンズ要素と反対側に配置された静的な後部レンズ要素とを備え、
前記前部レンズ要素及び前記静的な後部レンズ要素が、共同で前記ある体積の光学流体を含む前記レンズ体の前記密閉チャンバを形成し、
前記形状変形薄膜が、前記前方の支持体の周辺領域に対して内方変位を受けて、前記中央面を前記レンズ体の光学軸に沿って外方へ湾曲させるように構成され、
前記レンズ体に結合され、前記レンズ体の光学軸が目の視軸と実質的に一致するようにレンズデバイスが目に埋め込まれたときに、水晶体嚢内に挿入されるように構成された静的な安定化ハプティックを備え、
前記レンズ体の前記形状変形薄膜と係合する第１端と、前記レンズデバイスが目の毛様体構造と直接接触して眼に埋め込まれたときに、水晶体嚢の外側に延びるように構成された自由端とを有する力変換アームをさらに備え、
前記力変換アームは、前記形状変形薄膜の変位を生じるように前記レンズ体に対して移動可能である、眼を治療するための遠近調節型の眼内レンズのデバイス。
【請求項２】
前記前方の支持体は、前記レンズ体に対する前記力変換アームの動きの間に歪みから前記レンズ体の光学部品を機械的に隔絶する、請求項１に記載のデバイス。
【請求項３】
前記前方の支持体の周辺領域は壁を有し、該壁は、前記形状変形薄膜の内方への動きの間に前記形状変形薄膜と接触することを回避するように構成された先細りの形状を有する、請求項１又は２に記載のデバイス。
【請求項４】
前記静的な安定化ハプティックが、前記レンズ体に接合される、請求項１に記載のデバイス。
【請求項５】
前記静的な安定化ハプティックが、前記レンズ体の一部として成型される、請求項１に記載のデバイス。
【請求項６】
前記前方の支持体が、前記密閉チャンバを変形可能領域及び中央部に分割する前記密閉チャンバ内にパーティションを形成する、請求項１に記載のデバイス。
【請求項７】
前記変形可能領域が、前記レンズ体の光学ゾーンの外側に位置する、請求項６に記載のデバイス。
【請求項８】
前記形状変形薄膜の内方への動きが前記変形可能領域を変形させる、請求項６に記載のデバイス。
【請求項９】
前記前方の支持体が、前記静的な後部レンズ要素の領域に結合される、請求項６に記載のデバイス。
【請求項１０】
前記前方の支持体が、前記密閉チャンバの変形領域と中央領域との間の流体連通を提供するチャネルを形成している、請求項９に記載のデバイス。
【請求項１１】
前記形状変形薄膜の内方への動きが、前記密閉チャンバを圧縮する、請求項１に記載のデバイス。
【請求項１２】
前記密閉チャンバでの光学流体が非圧縮性であり、前記前部レンズ要素の中央面を押圧し、外方への湾曲を生じさせる、請求項１に記載のデバイス。
【請求項１３】
前記静的な安定化ハプティックが、光学的連携を維持し、かつ前記眼への移植後に前記デバイスの動きに抗するように構成される、請求項１に記載のデバイス。
【請求項１４】
前記静的な安定化ハプティックが、開ループの、閉ループの、プレート・スタイルの、プレート・ループの、単ブロック・プレート・スタイルの、ｊ−ループの、ｃ−ループの、修正されたＪ−ループの、複数ピースの、単一ピースの、角張った、平面の、オフセットのものからなる群から選ばれる、請求項１に記載のデバイス。
【請求項１５】
前記静的な安定化ハプティックが、前記力変換アームとは異なる平面上に配置される、請求項１に記載のデバイス。
【請求項１６】
前記静的な安定化ハプティックが、フレキシブルであるか、折り曲げられるか、形状記憶材料から形成される、請求項１に記載のデバイス。
【請求項１７】
前記前部レンズ要素の中央面の外方への湾曲が、前記眼における前記デバイスの移植後に手動で調整可能である、請求項１に記載のデバイス。
【請求項１８】
前記前部レンズ要素の前記中央面が、前記密閉チャンバ内の増加した内部圧力で、又は、前記前部レンズ要素の前記内面に対する前記光学流体による圧力の印加で撓みやすい減肉厚領域である、請求項１に記載のデバイス。
【請求項１９】
前記光学流体が、可視スペクトルにおいて高い清澄さ及び透過性の非圧縮性の液体又はゲルを備える、請求項１に記載のデバイス。
【請求項２０】
前記光学流体が、シリコーン、官能化シリコーン、炭化水素、官能化炭化水素流体である、請求項１に記載のデバイス。
【請求項２１】
前記光学流体はフッ化シリコーン、芳香族シリコーン、またはフェニル官能化シリコーンである、請求項１に記載のデバイス。
【請求項２２】
前記光学流体は長鎖炭化水素流体、又はハロゲン化炭化水素流体である、請求項１に記載のデバイス。
【請求項２３】
前記光学流体はフルオロシリコーンオイルである、請求項１に記載のデバイス。
【請求項２４】
前記光学流体は、１．３７を超える屈折率を有する、請求項１に記載のデバイス。
【請求項２５】
前記光学流体は、１．３７から１．６０の屈折率を有する、請求項１に記載のデバイス。
【請求項２６】
前記力変換アームが、前記レンズ体の前記形状変形薄膜と前記毛様体構造との間に延在するように構成された長さを有する、請求項１に記載のデバイス。
【請求項２７】
前記毛様体構造が、毛様体筋、毛様体、毛様体突起及び小帯の少なくとも１つを備える、請求項１に記載のデバイス。
【請求項２８】
前記前方の支持体は、前後方向厚さを有する移動不能な内方の支持体である、請求項１に記載のデバイス。
【請求項２９】
前記移動不能な内方の支持体の前後方向厚さは、前記移動不能な内方の支持体の外縁の前後厚さが前記外縁から中央側に離れた位置の前後厚さより小さいように、前記後部レンズ要素に向かって先細りしている、請求項２８に記載のデバイス。
【請求項３０】
前記レンズ体の少なくとも一部は、目の水晶体嚢の前方部の嚢切開の外側に残っている、請求項１に記載のデバイス。
【外国語明細書】
2020022762.tif 000074
2020022762.tif 000075
2020022762.tif 000076
2020022762.tif 000077
2020022762.tif 000078
2020022762.tif 000079
2020022762.tif 000080
2020022762.tif 000081
2020022762.tif 000082
2020022762.tif 000083
2020022762.tif 000084
2020022762.tif 000085
2020022762.tif 000086
2020022762.tif 000087
2020022762.tif 000088
2020022762.tif 000089
2020022762.tif 000090
2020022762.tif 000091
2020022762.tif 000092
2020022762.tif 000093
2020022762.tif 000094
2020022762.tif 000095
2020022762.tif 000096
2020022762.tif 000097
2020022762.tif 000098
2020022762.tif 000099
2020022762.tif 000100
2020022762.tif 000101
2020022762.tif 000102
2020022762.tif 000103
2020022762.tif 000104
2020022762.tif 000105
2020022762.tif 000106
2020022762.tif 000107
2020022762.tif 000108
2020022762.tif 000109
2020022762.tif 000110
2020022762.tif 000111
2020022762.tif 000112
2020022762.tif 000113
2020022762.tif 000114
2020022762.tif 000115
2020022762.tif 000116
2020022762.tif 000117
2020022762.tif 000118
2020022762.tif 000119
2020022762.tif 000120
2020022762.tif 000121
2020022762.tif 000122
2020022762.tif 000123
2020022762.tif 000124
2020022762.tif 000125
2020022762.tif 000126
2020022762.tif 000127
2020022762.tif 000128
2020022762.tif 000129
2020022762.tif 000130
2020022762.tif 000131
2020022762.tif 000132
2020022762.tif 000133
2020022762.tif 000134
2020022762.tif 000135
2020022762.tif 000136
2020022762.tif 000137
2020022762.tif 000138
2020022762.tif 000139
2020022762.tif 000140
2020022762.tif 000141
2020022762.tif 000142
2020022762.tif 000143
2020022762.tif 000144
2020022762.tif 000145
2020022762.tif 000146
2020022762.tif 000147
2020022762.tif 000148
2020022762.tif 000149